(57)【要約】  本発明は、表面反応炭酸カルシウムを含む細粒の製造方法並びにこれにより得られる細粒及びこれらの使用に関する。
2018537565.tif 000002
【特許請求の範囲】
【請求項１】
表面反応炭酸カルシウムを含む細粒の製造方法であって、以下のステップ：
ａ）表面反応炭酸カルシウムを提供するステップであって、表面反応炭酸カルシウムが、水性媒体中の天然粉砕炭酸カルシウム又は沈降炭酸カルシウムと二酸化炭素及び１種以上のＨ３Ｏ＋イオン供与体との反応生成物であり、二酸化炭素が、Ｈ３Ｏ＋イオン供与体処理によってその場で形成される及び／又は外部供給源から供給される、ステップ、
ｂ）液体形態の１種以上の活性成分を提供するステップ、
ｃ）表面反応炭酸カルシウムを液体形態の１種以上の活性成分で飽和させるステップ、
ｄ）１種以上の結合剤を提供するステップ、並びに
ｅ）ステップｃ）で得られた飽和表面反応炭酸カルシウムをステップｄ）の１種以上の結合剤と撹拌装置内で撹拌しながら混合するステップ
を特徴とする、方法。
【請求項２】
天然粉砕炭酸カルシウムが、大理石、チョーク、ドロマイト、石灰石及びこれらの混合物を含む群から選択される炭酸カルシウム含有鉱物から選択されること、並びに沈降炭酸カルシウムが、アラゴナイト、ファーテライト若しくはカルサイト鉱物結晶形態又はこれらの組合せを有する沈降炭酸カルシウムを含む群から選択されることを特徴とする、請求項１に記載の方法。
【請求項３】
表面反応炭酸カルシウムが、
ｉ）ＩＳＯ  ９２７７に従って窒素及びＢＥＴ法を使用して測定した、１５ｍ２／ｇ〜２００ｍ２／ｇ、好ましくは２７ｍ２／ｇ〜１８０ｍ２／ｇ、より好ましくは３０ｍ２／ｇ〜１６０ｍ２／ｇ、さらにより好ましくは４５ｍ２／ｇ〜１５０ｍ２／ｇ及び最も好ましくは４８ｍ２／ｇ〜１４０ｍ２／ｇの比表面積、並びに／又は
ｉｉ）１〜７５μｍ、好ましくは２〜５０μｍ、より好ましくは３〜４０μｍ、さらにより好ましくは４〜３０μｍ及び最も好ましくは５〜１５μｍの体積中央粒径ｄ５０、並びに／又は
ｉｉｉ）水銀ポロシメトリー測定から計算した０．１〜２．３ｃｍ３／ｇ、より好ましくは０．２〜２．０ｃｍ３／ｇ、特に好ましくは０．４〜１．８ｃｍ３／ｇ及び最も好ましくは０．６〜１．６ｃｍ３／ｇの範囲内の粒子内圧入比細孔容積、並びに／又は
ｉｖ）２〜１５０μｍ、好ましくは４〜１００μｍ、より好ましくは６〜８０μｍ、さらにより好ましくは８〜６０μｍ及び最も好ましくは１０〜３０μｍの粒径ｄ９８（体積）を有することを特徴とする、請求項１又は２に記載の方法。
【請求項４】
ステップｂ）において、１種以上の活性成分が、溶媒に溶解されることを特徴とし、好ましくは溶媒が、水、メタノール、エタノール、ｎ−ブタノール、イソプロパノール、ｎ−プロパノール、アセトン、ジメチルスルホキシド、ジメチルホルムアミド、テトラヒドロフラン、植物油及びこれらの誘導体、動物油及びこれらの誘導体、溶融脂肪及びロウ、並びにこれらの混合物を含む群から選択され、より好ましくは、溶媒が、水、エタノール及び／又はアセトンである、請求項１から３のいずれか一項に記載の方法。
【請求項５】
ステップｂ）において、１種以上の活性成分が、香料、フレーバー、ハーブ抽出物、果実抽出物、栄養素、微量鉱物、忌避剤、食品、化粧品、甘味料、難燃剤、酵素、農薬、肥料、保存剤、酸化防止剤、反応性化学物質、薬学的活性剤又はこれらの薬学的不活性前駆体、及びこれらの混合物を含む群から選択されることを特徴とする、請求項１から４のいずれか一項に記載の方法。
【請求項６】
ステップｄ）の１種以上の結合剤が、合成ポリマー、例えばメチルセルロース、エチルセルロース、カルボキシメチルセルロースナトリウム、ヒドロキシプロピルメチルセルロース（ＨＰＭＣ）、ヒドロキシプロピルセルロース（ＨＰＣ）、エチルヒドロキシエチルセルロース（ＥＨＥＣ）、ポリビニルピロリドン（ＰＶＰ）、ポリエチレングリコール（ＰＥＧ）、ポリビニルアルコール、ポリメタクリレート；及び天然結合剤、例えば植物ゴム、例えば、アカシア、トラガカント、サンダラク、ガティ、カラヤ、ローカストビーン及びグアー；タンパク質、例えばゼラチン、カゼイン、コラーゲン；糖類及び多糖類、例えばデンプン及びこれの誘導体、イヌリン、セルロース、ペクチン、カラギーナン及び砂糖；動物滲出液、例えばシェラック、ミツロウ、アルギン酸、並びにこれらの混合物を含む群から選択されることを特徴とする、請求項１から５のいずれか一項に記載の方法。
【請求項７】
ステップｄ）の１種以上の結合剤が、ステップａ）の表面反応炭酸カルシウムの総乾燥重量に対して０．１〜５０重量％、好ましくは０．２〜２５重量％、より好ましくは０．３〜２０重量％、さらにより好ましくは０．４〜１５重量％、最も好ましくは０．５〜１０重量％、例えば１重量％の量で添加されることを特徴とする、請求項１から６のいずれか一項に記載の方法。
【請求項８】
ステップｅ）において、撹拌装置が、アイリッヒミキサー、流動床乾燥機／造粒機、プレート造粒機、テーブル造粒機、ドラム造粒機、ディスク造粒機、皿型造粒機、プラウシェアミキサー、垂直又は水平ミキサー、高剪断又は低剪断ミキサー、高速ブレンダー及び高速ミキサー造粒機を含む群から選択されることを特徴とする、請求項１から７のいずれか一項に記載の方法。
【請求項９】
ステップｅ）において、ステップｃ）で得られた飽和表面反応炭酸カルシウムと同時に又は後に、１種以上の結合剤を撹拌装置に添加することを特徴とする、請求項１から８のいずれか一項に記載の方法。
【請求項１０】
さらなる表面反応炭酸カルシウム若しくは飽和表面反応炭酸カルシウム、若しくはこれらの混合物、及び／又は溶媒、好ましくは水を、粒子の凝集が認められるまで、ステップｅ）で得られた混合物に添加するステップｆ）をさらに含むことを特徴とする、請求項１から９のいずれか一項に記載の方法。
【請求項１１】
さらなる表面反応炭酸カルシウム又は飽和表面反応炭酸カルシウム又はこれらの混合物が、ステップａ）で提供された表面反応炭酸カルシウムの総乾燥重量に対して１〜３０重量％、好ましくは５〜２５重量％、より好ましくは８〜２０重量％の量で添加されることを特徴とする、請求項１０に記載の方法。
【請求項１２】
ステップｃ）及び／又はｅ）及び／又はｆ）で得られた混合物から溶媒を除去するステップｇ）をさらに含むことを特徴とする、請求項４から１１のいずれか一項に記載の方法。
【請求項１３】
ステップｇ）において、得られた細粒から溶媒を分離することによって、好ましくは回転炉での乾燥、ジェット乾燥、流動床乾燥、凍結乾燥、フラッシュ乾燥及び温度制御高剪断は低剪断ミキサーを含む群から選択される手段により乾燥することによって、溶媒が除去されることを特徴とする、請求項１２に記載の方法。
【請求項１４】
ステップｅ）及び／又はｆ）及び／又はｇ）の後に得られた表面反応炭酸カルシウムを含む細粒が、ふるい分画によって求めた、０．１〜６ｍｍ、好ましくは０．２〜５ｍｍ、より好ましくは０．２〜４ｍｍ、特に好ましくは０．２〜０．６ｍｍ又は０．６ｍｍ〜２ｍｍの体積中央粒径を有することを特徴とする、請求項１から１３のいずれか一項に記載の方法。
【請求項１５】
ステップｅ）及び／又はｆ）及び／又はｇ）の後に得られた表面反応炭酸カルシウムを含む細粒が、ＩＳＯ  ９２７７に従って窒素及びＢＥＴ法を使用して測定した、１０〜１８０ｍ２／ｇ、好ましくは１５〜１５０ｍ２／ｇ、より好ましくは２０〜１１０ｍ２／ｇ、最も好ましくは３０〜７０ｍ２／ｇの比表面積を有することを特徴とする、請求項１から１４のいずれか一項に記載の方法。
【請求項１６】
請求項１〜１５のいずれか一項に記載の方法により得られた表面反応炭酸カルシウムを含む細粒。
【請求項１７】
香料送達システム、フレーバー送達システム、栄養補助食品送達システム、農薬送達システム、保存送達システム、酸化防止剤送達システム、作物防疫送達システム、施肥送達システム、触媒システム、繊細分子用遮蔽システム、担体システム、化学物質送達システム又は医薬送達システム、好ましくは、錠剤、ミニ錠剤、カプセル又はペレット、としての、請求項１６に記載の表面反応炭酸カルシウムを含む細粒の使用。
【発明の詳細な説明】
【技術分野】
【０００１】
本発明は、表面反応炭酸カルシウムを含む細粒の製造方法並びにこれにより得られる細粒及びこれらの使用に関する。
【背景技術】
【０００２】
新しいタイプの表面反応炭酸カルシウムは、１９９８年に最初にＦＲ２７８７８０２Ｂ１に、続いてＷＯ００／３９２２２Ａ１及びＵＳ２００４／００２０４１０Ａ１に記載され、天然粉砕炭酸カルシウムとガス状ＣＯ２及び１種以上の中強〜強Ｈ３Ｏ＋イオン供与体との反応に基づいている。得られた生成物は、特殊な表面構造、多孔率及び比表面積を有する多孔質炭酸カルシウムであり、紙の顔料又はコーティング用充填剤として使用する場合、物性を損なうことなく一定の表面積に対して紙の重量を低減させる。
【０００３】
ＷＯ２００４／０８３３１６Ａ１には、この表面反応炭酸カルシウムの調製におけるさらに有利な修飾が記載されており、アルミニウムシリケート、合成シリカ、カルシウムシリケート、ケイ酸イオン及び／又は一価塩が関連し、これらは、製紙用途にも有用である。
【０００４】
またＷＯ２００５／１２１２５７Ａ２は、前記表面反応炭酸カルシウムの製造における、例えば脂肪酸、脂肪アミン又は脂肪族アルコールから選択される、式Ｒ−Ｘの１種以上の化合物が添加される、有利な添加剤の添加に言及する。
【０００５】
ＷＯ２００９／０７４４９２Ａ１は特に、沈降炭酸カルシウムに関する既知の方法の最適化に関する。これは、炭酸カルシウムの沈降における特殊な条件のために、天然粉砕炭酸カルシウムに有用な方法によっては、合成沈降炭酸カルシウムの表面反応で同じ良好な結果が得られないことが判明したからである。
【０００６】
表面反応炭酸カルシウムの調製方法の複数のさらなる最適化及び修飾として、例えば表面反応炭酸カルシウムの調製における弱酸の使用を含む、ＥＰ２２６４１０８Ａ１（ＷＯ２０１０／１４６５３０Ａ１）及びＥＰ２２６４１０９Ａ１（ＷＯ２０１０／１４６５３１Ａ１）に記載されているものが続いた。
【０００７】
しかし、これらの文献のいずれも、表面反応炭酸カルシウムの造粒について明示的に記載していない。
【０００８】
しかし、細粒は多くの用途において、粉末よりもかなり重要であり、より好ましい。したがって、後続の使用に応じて典型的には０．２から４．０ｍｍの間の範囲の大きさを有する細粒をもたらす粉末の凝集は、濡れ性、流動性、嵩密度及び製品外観などの粉末の物理的特性を改善するために広く使用されている。
【０００９】
さらに造粒は、例えば、粉末混合物の構成成分の偏析を防止する、粉化を防止する、又は流動性を改善するために行われる。
【００１０】
造粒、即ち一次粉末粒子を付着させてより大きな多粒子体を形成する工程は、例えば結合剤によって、粒子間に結合を生じることによって粒子を一緒に寄せ集める工程である。
【００１１】
最も重要なタイプの造粒の１つは、細粒がインペラの影響下にある粉末床上に造粒液を添加することによって形成される、湿式造粒である。系内で生じる撹拌は、配合物内での成分の湿潤と共に、一次粉末粒子を凝集させて湿潤細粒を生成する。造粒液は溶媒を含有するが、この溶媒は乾燥によって除去できるように揮発性でなければならず、非毒性でなければならない。粉末中に混合された水は、粉末粒子を共に固着させるために十分な強度の結合を粉末粒子間に形成することができる。しかし水が乾燥してしまうと、粉末が崩壊し得る。したがって、水は、結合の生成及び保持に十分なほど強力でないことがある。このような場合、造粒液は結合剤を含む。
【００１２】
表面反応炭酸カルシウムに関して、細粒も一般に知られている。例えばＥＰ２２６４１０８Ａ１（ＷＯ２０１０／１４６５３０Ａ１）には、これに記載された方法から得られる表面反応炭酸カルシウムがケーキ、細粒又は粉末の形態であってよいことが記載され、また、複数の文献（ＥＰ１９７５３１０Ｂ１，ＥＰ１９８２７５９Ｂ１，ＥＰ１９７４８０７Ｂ１，ＥＰ１９７４８０６Ｂ１，ＥＰ２５８９４３０Ａ１，ＷＯ２０１０／０３７７５３Ａ１，ＥＰ２７１９３７３Ａ１又はＥＰ２７１９３７６Ａ１）でも、浄水における、制御放出担体としての、速崩壊剤形、又は胃滞留型薬物製剤及び送達システムにおけるような、表面反応炭酸カルシウムの種々の使用について記載する。
【００１３】
しかし、表面反応炭酸カルシウムを製造する基本的な方法の結果として、又は湿式造粒によってのどちらかで得られるこれらの細粒は、複数の欠点、例えば低い安定性及び高い脆性を被り、又は細粒の安定性を高めるために多量の結合剤を必要とする。
【００１４】
したがって、表面反応炭酸カルシウムは、各種の方法を用いて造粒することができるが、これの多孔性のために従来の方法では所望の結果が得られない。造粒は、安定した生成物を加工することが非常に困難であり、多量の結合剤を必要とし、なお高い強度を示せないことが判明している。
【００１５】
これに関して、未公開のＥＰ出願１４１７０５７８．０及びＥＰ１４１７３３２５．３は、表面反応炭酸カルシウムを含む細粒の製造方法について記載し、ここでは、まず、表面反応カルシウムの多孔質構造の細孔を造粒液で飽和させ、他方で、結合剤を後で添加する場合、得られた造粒物の安定性が向上するだけでなく、結合剤の量も低減され得ることが見出された。
【００１６】
しかし、これらの文献のいずれも、活性成分が載荷された表面反応炭酸カルシウムの造粒について記載していない。
【先行技術文献】
【特許文献】
【００１７】
【特許文献１】仏国特許発明第２７８７８０２号明細書
【特許文献２】国際公開第２０００／３９２２２号
【特許文献３】米国特許出願公開第２００４／００２０４１０号明細書
【特許文献４】国際公開第２００４／０８３３１６号
【特許文献５】国際公開第２００５／１２１２５７号
【特許文献６】国際公開第２００９／０７４４９２号
【特許文献７】欧州特許出願公開第２２６４１０８号明細書（国際公開第２０１０／１４６５３０号）
【特許文献８】欧州特許出願公開第２２６４１０９号明細書（国際公開第２０１０／１４６５３１号）
【特許文献９】欧州特許第１９７５３１０号明細書
【特許文献１０】欧州特許第１９８２７５９号明細書
【特許文献１１】欧州特許第１９７４８０７号明細書
【特許文献１２】欧州特許第１９７４８０６号明細書
【特許文献１３】欧州特許出願公開第２５８９４３０号明細書
【特許文献１４】国際公開第２０１０／０３７７５３号
【特許文献１５】欧州特許出願公開第２７１９３７３号明細書
【特許文献１６】欧州特許出願公開第２７１９３７６号明細書
【特許文献１７】欧州特許出願番号第１４１７０５７８．０号明細書
【特許文献１８】欧州特許出願番号第１４１７３３２５．３号明細書
【発明の概要】
【発明が解決しようとする課題】
【００１８】
したがって、本発明の目的は、活性成分が載荷された表面反応炭酸カルシウムを含む細粒の製造方法を提供することである。本発明のさらなる目的は、結合剤の要求量が低減された表面反応炭酸カルシウムを含む細粒の製造方法であって、細粒が、改良された安定性を有する製造方法を提供することである。
【課題を解決するための手段】
【００１９】
上記及び他の目的は、ここに、請求項１において定義されたような主題によって解決される。
【００２０】
表面反応炭酸カルシウムを含む細粒の製造方法のための本発明の有利な実施形態は、対応する従属請求項に定義されている。
【発明を実施するための形態】
【００２１】
本出願の一態様によれば、表面反応炭酸カルシウムを含む細粒の製造方法が提供される。この方法は、以下のステップを特徴とする。
ａ）表面反応炭酸カルシウムを提供するステップであって、表面反応炭酸カルシウムが水性媒体中の天然粉砕炭酸カルシウム又は沈降炭酸カルシウムと二酸化炭素及び１種以上のＨ３Ｏ＋イオン供与体との反応生成物であり、二酸化炭素がＨ３Ｏ＋イオン供与体処理によってその場で形成される及び／又は外部供給源から供給される、ステップ、
ｂ）液体形態の１種以上の活性成分を提供するステップ、
ｃ）表面反応炭酸カルシウムを液体形態の１種以上の活性成分で飽和させるステップ、
ｄ）１種以上の結合剤を提供するステップ、並びに
ｅ）ステップｃ）で得られた飽和表面反応炭酸カルシウムをステップｄ）の１種以上の結合剤と撹拌装置内で撹拌しながら混合するステップ。
【００２２】
本発明者らは、驚くべきことに、上述の本発明による表面反応炭酸カルシウムを含む細粒の製造方法によって、結合剤の要求量が減少し、活性成分が載荷され、さらに安定性が改善された細粒が提供されることを見出した。
【００２３】
本発明の目的のために、以下の用語が以下の意味を有することを理解すべきである：
「含む（ｃｏｍｐｒｉｓｉｎｇ）」という用語を本明細書及び特許請求の範囲において使用する場合、大きい又は小さい機能的重要性を有する、他の規定されていない要素を排除しない。本発明の目的のために、「からなる（ｃｏｎｓｉｓｔｉｎｇ  ｏｆ）」という用語は、用語「より構成される（ｃｏｍｐｒｉｓｉｎｇ  ｏｆ）」の好ましい実施形態であると見なされる。以下で群が少なくともいくつかの実施形態を含むと定義される場合、これはまた、好ましくはこれらの実施形態のみからなる群を開示すると理解されるものとする。
【００２４】
「含む（ｉｎｃｌｕｄｉｎｇ）」又は「有する（ｈａｖｉｎｇ）」という用語を使用する場合は必ず、これらの用語は上で定義された「含む（ｃｏｍｐｒｉｓｉｎｇ）」と同等であることを意味する。
【００２５】
単数名詞を指すときに不定冠詞又は定冠詞、例えば「１つの（ａ）」、「１つの（ａｎ）」又は「この（ｔｈｅ）」を使用する場合、何か他のことが特に示されない限り、これはその名詞の複数を含む。
【００２６】
「得ることができる」又は「定義することができる」及び「得られた」又は「定義された」などの用語は、互換的に使用される。このことは例えば、文脈が別途明確に示さない限り、用語「得られた」は、例えば実施形態を例えば、用語「得られた」の後の一連のステップによって得られなければならないことを、このような限定された認識が好ましい実施形態として用語「得られた」又は「定義された」によって常に含まれるとしても、示すものではない。
【００２７】
本発明の別の態様によれば、本明細書で定義された方法により得られた表面反応炭酸カルシウムを含む細粒が提供される。
【００２８】
本発明のさらなる態様によれば、本明細書で定義された表面反応炭酸カルシウムを含む細粒の、香料送達システム、フレーバー送達システム、栄養補助食品送達システム、農薬送達システム、保存送達システム、酸化防止剤送達システム、作物防疫送達システム、施肥送達システム、触媒システム、繊細分子用遮蔽システム、担体システム、化学物質送達システム又は医薬送達システムとしての使用が提供される。好ましくは、本明細書で定義する場合、表面反応炭酸カルシウムを含む細粒は、錠剤、ミニ錠剤、カプセル又はペレットの形態で使用される。
【００２９】
本発明の一実施形態によれば、天然粉砕炭酸カルシウムは、大理石、チョーク、ドロマイト、石灰石及びこれらの混合物を含む群から選択される炭酸カルシウム含有鉱物から選択されること、並びに沈降炭酸カルシウムが、アラゴナイト、ファーテライト若しくはカルサイト鉱物結晶形態又はこれらの混合形態を有する沈降炭酸カルシウムを含む群から選択される。
【００３０】
本発明の別の実施形態によれば、表面反応炭酸カルシウムは、ｉ）ＩＳＯ  ９２７７に従って窒素及びＢＥＴ法を使用して測定した、１５ｍ２／ｇ〜２００ｍ２／ｇ、好ましくは２７ｍ２／ｇ〜１８０ｍ２／ｇ、より好ましくは３０ｍ２／ｇ〜１６０ｍ２／ｇ、さらにより好ましくは４５ｍ２／ｇ〜１５０ｍ２／ｇ及び最も好ましくは４８ｍ２／ｇ〜１４０ｍ２／ｇの比表面積、並びに／又は
ｉｉ）１〜７５μｍ、好ましくは２〜５０μｍ、より好ましくは３〜４０μｍ、さらにより好ましくは４〜３０μｍ及び最も好ましくは５〜１５μｍの体積中央粒径ｄ５０、並びに／又は
ｉｉｉ）水銀ポロシメトリー測定から計算した０．１〜２．３ｃｍ３／ｇ、より好ましくは０．２〜２．０ｃｍ３／ｇ、特に好ましくは０．４〜１．８ｃｍ３／ｇ、最も好ましくは０．６〜１．６ｃｍ３／ｇの範囲内の粒子内圧入比細孔容積、並びに／又は
ｉｖ）２〜１５０μｍ、好ましくは４〜１００μｍ、より好ましくは６〜８０μｍ、さらにより好ましくは８〜６０μｍ及び最も好ましくは１０〜３０μｍの粒径ｄ９８（体積）を有する。
【００３１】
本発明のまた別の実施形態によれば、ステップｂ）において、１種以上の活性成分が溶媒に溶解され、好ましくは、溶媒は、水、メタノール、エタノール、ｎ−ブタノール、イソプロパノール、ｎ−プロパノール、アセトン、ジメチルスルホキシド、ジメチルホルムアミド、テトラヒドロフラン、植物油及びこれらの誘導体、動物油及びこれらの誘導体、溶融脂肪及びロウ並びにこれらの混合物を含む群から選択され、より好ましくは、溶媒は水、エタノール及び／又はアセトンである。
【００３２】
本発明の一実施形態によれば、ステップｂ）において、１種以上の活性成分は、香料、フレーバー、ハーブ抽出物、果実抽出物、栄養素、微量鉱物、忌避剤、食品、化粧品、甘味料、難燃剤、酵素、農薬、肥料、保存剤、酸化防止剤、反応性化学物質、薬学的活性剤又はこれらの薬学的不活性前駆体及びこれらの混合物を含む群から選択される。
【００３３】
本発明の別の実施形態によれば、ステップｄ）の１種以上の結合剤は、合成ポリマー、例えばメチルセルロース、エチルセルロース、カルボキシメチルセルロースナトリウム、ヒドロキシプロピルメチルセルロース（ＨＰＭＣ）、ヒドロキシプロピルセルロース（ＨＰＣ）、エチルヒドロキシエチルセルロース（ＥＨＥＣ）、ポリビニルピロリドン（ＰＶＰ）、ポリエチレングリコール（ＰＥＧ）、ポリビニルアルコール、ポリメタクリレート；及び天然結合剤、例えば植物ゴム、例えばアカシア、トラガカント、サンダラク、ガティ、カラヤ、ローカストビーン及びグアー；タンパク質、例えばゼラチン、カゼイン、コラーゲン；糖類及び多糖類、例えばデンプン及びこれの誘導体、イヌリン、セルロース、ペクチン、カラギーナン及び砂糖；動物滲出液、例えばシェラック、ミツロウ、アルギン酸並びにこれらの混合物を含む群から選択される。
【００３４】
本発明のまた別の実施形態によれば、ステップｄ）の１種以上の結合剤は、ステップａ）の表面反応炭酸カルシウムの総乾燥重量に対して０．１〜５０重量％、好ましくは０．２〜２５重量％、より好ましくは０．３〜２０重量％、さらにより好ましくは０．４〜１５重量％、最も好ましくは０．５〜１０重量％、例えば１重量％の量で添加される。
【００３５】
本発明の一実施形態によれば、ステップｅ）において、撹拌装置は、アイリッヒミキサー、流動床乾燥機／造粒機、プレート造粒機、テーブル造粒機、ドラム造粒機、ディスク造粒機、皿型造粒機、プラウシェアミキサー、垂直ミキサー又は水平ミキサー、高剪断ミキサー又は低剪断ミキサー、高速ブレンダー及び高速ミキサー造粒機を含む群から選択される。
【００３６】
本発明の別の実施形態によれば、ステップｅ）において、ステップｃ）で得られた飽和表面反応炭酸カルシウムと同時に又は後に、１種以上の結合剤を撹拌装置に添加する。
【００３７】
本発明のまた別の実施形態によれば、本方法はさらなる表面反応炭酸カルシウム若しくは飽和表面反応炭酸カルシウム若しくはこれらの混合物及び／又は溶媒、好ましくは水を、粒子の凝集が認められるまで、ステップｅ）で得られた混合物に添加するステップｆ）をさらに含む。
【００３８】
本発明の一実施形態によれば、さらなる表面反応炭酸カルシウム又は飽和表面反応炭酸カルシウム又はこれらの混合物は、ステップａ）で提供した表面反応炭酸カルシウムの総乾燥重量に対して１〜３０重量％、好ましくは５〜２５重量％、より好ましくは８〜２０重量％の量で添加される。
【００３９】
本発明の別の実施形態によれば、本方法は、ステップｃ）及び／又はｅ）及び／又はｆ）で得られた混合物から溶媒を除去するステップｇ）をさらに含む。
【００４０】
本発明のまた別の実施形態によれば、ステップｇ）において、溶媒は、得られた細粒から溶媒を分離することによって、好ましくは回転炉での乾燥、ジェット乾燥、流動床乾燥、凍結乾燥、フラッシュ乾燥及び温度制御高剪断ミキサー又は低剪断ミキサーを含む群から選択される手段により乾燥することによって除去される。
【００４１】
本発明の一実施形態によれば、ステップｅ）及び／又はｆ）及び／又はｇ）の後に得られた表面反応炭酸カルシウムを含む細粒は、ふるい分画によって求めた、０．１〜６ｍｍ、好ましくは０．２〜５ｍｍ、より好ましくは０．２〜４ｍｍ、特に好ましくは０．２〜０．６ｍｍ又は０．６ｍｍ〜２ｍｍの体積中央粒径を有する。
【００４２】
本発明の別の実施形態によれば、ステップｅ）及び／又はｆ）及び／又はｇ）の後に得られた表面反応炭酸カルシウムを含む細粒は、ＩＳＯ  ９２７７に従って窒素及びＢＥＴ法を使用して測定した、１０〜１８０ｍ２／ｇ、好ましくは１５〜１５０ｍ２／ｇ、より好ましくは２０〜１１０ｍ２／ｇ、最も好ましくは３０〜７０ｍ２／ｇの比表面積を有する。
【００４３】
本発明の表面反応炭酸カルシウムを含む細粒の製造方法は、複数の利点を提供する。第１に、本発明の方法は、活性成分が載荷された細粒を提供する。第２に、本発明の方法は、安定性が改善された細粒を提供する。本発明の方法は、これに加えて、結合剤の要求量が低減されている。
【００４４】
以下では、本発明の方法の詳細事項及び好ましい実施形態をより詳細に述べる。これらの技術的詳細事項及び実施形態は、本発明の生成物並びにこれらの使用にも適用されることが理解されるものとする。
【００４５】
＜方法ステップａ）＞
本発明の方法のステップａ）において、表面反応炭酸カルシウムが提供される。
【００４６】
表面反応炭酸カルシウムは、天然粉砕炭酸カルシウム又は沈降炭酸カルシウムと二酸化炭素及び１種以上のＨ３Ｏ＋イオン供与体との反応生成物であり、二酸化炭素はＨ３Ｏ＋イオン供与体処理によってその場で形成される、及び／又は外部源から供給される。
【００４７】
本発明の文脈におけるＨ３Ｏ＋イオン供与体は、ブレンステッド酸及び／又は酸性塩である。
【００４８】
本発明の好ましい実施形態において、表面反応炭酸カルシウムは、（ａ）天然炭酸カルシウム又は沈降炭酸カルシウムの懸濁液を提供するステップ、（ｂ）２０℃にて０以下のｐＫａ値を有する又は２０℃にて０〜２．５のｐｋａ値を有する少なくとも１種の酸をステップａ）の懸濁液に添加するステップ、及び（ｃ）ステップ（ｂ）の前、間又は後に、ステップ（ａ）の懸濁液を二酸化炭素で処理するステップを含む方法によって得られる。別の実施形態によれば、表面反応炭酸カルシウムは、（Ａ）天然炭酸カルシウム又は沈降炭酸カルシウムを提供するステップ、（Ｂ）少なくとも１種の水溶性酸を提供するステップ、（Ｃ）ガス状ＣＯ２を提供するステップ、（Ｄ）ステップ（Ａ）の前記天然炭酸カルシウム又は沈降炭酸カルシウムをステップ（Ｂ）の少なくとも１種の酸及びステップ（Ｃ）のＣＯ２と接触させるステップを含む方法であって、（ｉ）ステップ（Ｂ）の少なくとも１種の酸が、これの第１の利用可能な水素のイオン化に関連して、２０℃にて２．５を超え７以下のｐＫａを有し、対応するアニオンが、水溶性カルシウム塩を形成することができるこの第１の利用可能な水素の損失時に形成され、及び（ｉｉ）少なくとも１種の酸を天然炭酸カルシウム又は沈降炭酸カルシウムと接触させた後に、水素含有塩の場合、第１の利用可能な水素のイオン化に関連して、２０℃にて７を超えるｐＫａを有し、これの塩アニオンが水不溶性カルシウム塩を形成することができる少なくとも１種の水溶性塩がさらに提供されることを特徴とする、方法によって得られる。
【００４９】
「天然粉砕炭酸カルシウム」（ＧＣＣ）は、好ましくは大理石、チョーク、石灰石及びこれらの混合物を含む群から選択される炭酸カルシウム含有鉱物から選択される。天然炭酸カルシウムは、炭酸マグネシウム、アルミノシリケートなどの天然型構成成分をさらに含み得る。
【００５０】
概して、天然粉砕炭酸カルシウムの粉砕ステップは、乾式粉砕又は湿式粉砕のステップであり得て、いずれの従来の粉砕装置を用いて、例えば細砕が２次体との衝突から主に生じるような条件下で、即ちボールミル、ロッドミル、振動ミル、ロール粉砕機、遠心分離インパクトミル、縦型ビーズミル、アトリションミル、ピンミル、ハンマーミル、粉砕機、シュレッダ、デクランパ（ｄｅ−ｃｌｕｍｐｅｒ）、ナイフカッター又は当業者に既知である他のこのような装置の１つ以上で行われ得る。炭酸カルシウム含有鉱物材料が湿式粉砕炭酸カルシウム含有鉱物材料を含む場合、粉砕ステップは、自己粉砕が起こるような条件下で並びに／又は水平ボールミリング及び／若しくは当業者に既知の他の方法によって実施され得る。このように得られた湿式加工粉砕炭酸カルシウム含有鉱物材料は、周知の方法によって、洗浄され、乾燥前に例えば凝集、濾過又は強制蒸発によって脱水され得る。後続の乾燥ステップは（必要な場合）、噴霧乾燥などの単一のステップで行っても、少なくとも２つのステップで行ってもよい。不純物を除去するために、このような鉱物材料に選鉱ステップ（浮遊選鉱、漂白又は磁力選鉱ステップなど）を行うことも一般的である。
【００５１】
本発明の意味における「沈降炭酸カルシウム」（ＰＣＣ）は、水性環境における二酸化炭素と炭酸カルシウムとの反応後の沈降によって、又はカルシウムイオンとカーボネートイオンとの、例えばＣａＣｌ２とＮａ２ＣＯ３との、溶液からの沈降によって一般に得られる合成材料である。ＰＣＣを製造するさらなる考えられる方法は、石灰ソーダ法、又はＰＣＣがアンモニア製造の副生成物であるソルベー法である。沈降炭酸カルシウムは、カルサイト、アラゴナイト及びファーテライトの３種類の主な結晶形態として存在し、これらの結晶形態それぞれについて多くの異なる多形（晶癖）がある。カルサイトは、偏三角面体（Ｓ−ＰＣＣ）、菱面体（Ｒ−ＰＣＣ）、六方晶柱状、卓面体晶系、コロイド晶系（Ｃ−ＰＣＣ）、立方晶系及び柱状（Ｐ−ＰＣＣ）などの代表的晶癖を有する、三方晶系構造を有する。アラゴナイトは、六方晶柱状系双晶、並びに薄い細長柱状、湾曲ブレード状、鋭利な角錐状、チゼル形状結晶、分枝樹及びサンゴ又はワーム様形状の多様な組合せの代表的晶癖を有する斜方晶系構造である。ファーテライトは六方晶結晶系に属する。得られたＰＣＣスラリーは、機械的に脱水及び乾燥することができる。
【００５２】
本発明の一実施形態によれば、沈降炭酸カルシウムは、好ましくはアラゴナイト、ファーテライト又はカルサイト鉱物結晶の形態又はこれらの混合形態を含む沈降炭酸カルシウムである。
【００５３】
沈降炭酸カルシウムは、上記のように天然炭酸カルシウムの粉砕に使用されるのと同じ手段によって、二酸化炭素及び少なくとも１種のＨ３Ｏ＋イオン供与体による処理の前に粉砕してよい。
【００５４】
本発明の一実施形態によれば、天然炭酸カルシウム又は沈降炭酸カルシウムは、０．０５〜１０．０μｍ、好ましくは０．２〜５．０μｍ、より好ましくは０．４〜３．０μｍ、最も好ましくは０．６〜１．２μｍ、特に０．７μｍの重量中央粒径ｄ５０を有する粒子の形態である。本発明のさらなる実施形態によれば、天然炭酸カルシウム又は沈降炭酸カルシウムは、０．１５〜５５μｍ、好ましくは１〜４０μｍ、より好ましくは２〜２５μｍ、最も好ましくは３μｍ〜１５μｍ、特に４μｍのトップカット粒径ｄ９８を有する粒子の形態である。
【００５５】
天然炭酸カルシウム及び／又は沈降炭酸カルシウムは、乾燥状態で又は水中に懸濁させて使用され得る。好ましくは、対応するスラリーは、スラリーの重量に対して１重量％〜９０重量％、より好ましくは３重量％〜６０重量％、さらにより好ましくは５重量％〜４０重量％及び最も好ましくは１０重量％〜２５重量％の範囲内の天然炭酸カルシウム又は沈降炭酸カルシウムの含有量を有する。
【００５６】
表面反応炭酸カルシウムの調製に使用される１種以上のＨ３Ｏ＋イオン供与体は、調製条件下でＨ３Ｏ＋イオンを生成するいずれかの強酸、中強酸若しくは弱酸又はこれらの混合物であり得る。本発明により、少なくとも１種のＨ３Ｏ＋イオン供与体は、調製条件下でＨ３Ｏ＋イオンを生成する酸性塩であることもできる。
【００５７】
一実施形態によれば、少なくとも１種のＨ３Ｏ＋イオン供与体は、２０℃にて０以下のｐＫａを有する強酸である。
【００５８】
別の実施形態によれば、少なくとも１種のＨ３Ｏ＋イオン供与体は、２０℃にて０〜２．５のｐＫａ値を有する中強酸である。２０℃におけるｐＫａが０以下である場合、酸は、好ましくは硫酸、塩酸又はこれらの混合物から選択される。２０℃におけるｐＫａが０から２．５である場合、Ｈ３Ｏ＋イオン供与体は、好ましくはＨ２ＳＯ３、Ｈ３ＰＯ４、シュウ酸又はこれらの混合物から選択される。少なくとも１種のＨ３Ｏ＋イオン供与体は、酸性塩、例えばＬｉ＋、Ｎａ＋若しくはＫ＋などの対応するカチオンによって少なくとも部分的に中和されているＨＳＯ４−若しくはＨ２ＰＯ４−、又はＬｉ＋、Ｎａ＋、Ｋ＋、Ｍｇ２＋又はＣａ２＋などの対応するカチオンによって少なくとも部分的に中和されているＨＰＯ４２−であることもできる。少なくとも１種のＨ３Ｏ＋イオン供与体は、１種以上の酸及び１種以上の酸性塩の混合物であることもできる。
【００５９】
なお別の実施形態によれば、少なくとも１種のＨ３Ｏ＋イオン供与体は、２０℃にて測定したときに、第１の利用可能な水素のイオン化に関連して、２．５を超え７以下のｐＫａ値を有し、水溶性カルシウム塩を形成することができる対応するアニオンを有する、弱酸である。続いて、少なくとも１種の水溶性塩は、水素含有塩の場合、２０℃にて測定したときに、第１の利用可能な水素のイオン化に関連して、７を超えるｐＫａを有し、水溶性カルシウム塩を形成することができるこれの塩がさらに提供される。好ましい実施形態によれば、弱酸は、２０℃にて２．５を超えて５以下のｐＫａ値を有し、より好ましくは、弱酸は、酢酸、ギ酸、プロパン酸及びこれらの混合物からなる群から選択される。前記水溶性塩の例示的なカチオンは、カリウム、ナトリウム、リチウム及びこれらの混合物からなる群から選択される。より好ましい実施形態において、前記カチオンはナトリウム又はカリウムである。前記水溶性塩の例示的なアニオンは、ホスフェート、二水素ホスフェート、モノ水素ホスフェート、オキサレート、シリケート、これらの混合物及びこれらの水和物からなる群から選択される。より好ましい実施形態において、前記アニオンは、ホスフェート、二水素ホスフェート、一水素ホスフェート、これらの混合物及びこれらの水和物からなる群から選択される。最も好ましい実施形態において、前記アニオンは、二水素ホスフェート、一水素ホスフェート、これらの混合物及びこれらの水和物からなる群から選択される。水溶性塩の添加は、滴下又は１ステップで行ってよい。滴下添加の場合、この添加は好ましくは１０分以内の期間で行われる。前記塩を１ステップで添加することがより好ましい。
【００６０】
本発明の一実施形態によれば、少なくとも１種のＨ３Ｏ＋イオン供与体は、塩酸、硫酸、亜硫酸、リン酸、クエン酸、シュウ酸、酢酸、ギ酸及びこれらの混合物からなる群から選択される。好ましくは、少なくとも１種のＨ３Ｏ＋イオン供与体は、塩酸、硫酸、亜硫酸、リン酸、シュウ酸、Ｈ２ＰＯ４−であって、Ｌｉ＋、Ｎａ＋又はＫ＋などの対応するカチオンによって少なくとも部分的に中和されているもの、ＨＰＯ４２−であって、Ｌｉ＋、Ｎａ＋、Ｋ＋、Ｍｇ２＋又はＣａ２＋などの対応するカチオンによって少なくとも部分的に中和されているもの及びこれらの混合物からなる群から選択され、より好ましくは、少なくとも１種の酸は、塩酸、硫酸、亜硫酸、リン酸、シュウ酸又はこれらの混合物であり、最も好ましくは少なくとも１種のＨ３Ｏ＋イオン供与体はリン酸である。
【００６１】
１種以上のＨ３Ｏ＋イオン供与体は、濃縮溶液又はより希釈された溶液として懸濁液に添加することができる。好ましくは、Ｈ３Ｏ＋イオン供与体の天然炭酸カルシウム又は沈降炭酸カルシウムに対するモル比は０．０１〜４、より好ましくは０．０２〜２、さらにより好ましくは０．０５〜１及び最も好ましくは０．１〜０．５８である。
【００６２】
代替的に、天然炭酸カルシウム又は沈降炭酸カルシウムを懸濁する前に、Ｈ３Ｏ＋イオン供与体を水に添加することも可能である。
【００６３】
次のステップにおいて、天然炭酸カルシウム又は沈降炭酸カルシウムを二酸化炭素で処理する。天然炭酸カルシウム又は沈降炭酸カルシウムのＨ３Ｏ＋イオン供与体処理に硫酸又は塩酸などの強酸を使用すると、二酸化炭素が自動的に生成される。代替的に又は追加的に、二酸化炭素を外部源から供給することができる。
【００６４】
強酸又は中強酸を使用する場合には、Ｈ３Ｏ＋イオン供与体処理及び二酸化炭素を用いる処理を同時に行うことができる。例えば２０℃にて０〜２．５の範囲のｐＫａを有する中強酸を用いて、Ｈ３Ｏ＋イオン供与体処理を最初に行うことも可能であり、ここで二酸化炭素がその場で形成され、このため二酸化炭素処理は自動的にＨ３Ｏ＋イオン供与体処理と同時に行われ、続いて外部供給源から供給された二酸化炭素を用いた追加処理が行われる。
【００６５】
好ましくは、懸濁液中のガス状二酸化炭素の濃度は、体積に対して、（懸濁液の体積）：（気体ＣＯ２の体積）比が１：０．０５から１：２０、さらにより好ましくは１：０．０５から１：５であるようになっている。
【００６６】
好ましい実施形態において、Ｈ３Ｏ＋イオン供与体処理ステップ及び／又は二酸化炭素処理ステップを少なくとも１回、より好ましくは数回反復する。一実施形態によれば、少なくとも１種のＨ３Ｏ＋イオン供与体は、少なくとも約５分、好ましくは少なくとも約１０分、典型的には約１０〜約２０分、より好ましくは約３０分、さらにより好ましくは約４５分及び時には約１時間以上の期間にわたって添加される。
【００６７】
Ｈ３Ｏ＋イオン供与体処理及び二酸化炭素処理に続いて、２０℃にて測定した水性懸濁液のｐＨが当然、６．０を超える、好ましくは６．５を超える、より好ましくは７．０を超える、さらにより好ましくは７．５を超える値に達し、これにより６．０以上、好ましくは６．５以上、より好ましくは７．０以上、さらにより好ましくは７．５以上のｐＨを有する水性懸濁液として、表面反応天然炭酸カルシウム又は沈降炭酸カルシウムが調製される。
【００６８】
表面反応天然炭酸カルシウムの調製に関するさらなる詳細は、ＷＯ００／３９２２２Ａ１、ＷＯ２００４／０８３３１６Ａ１、ＷＯ２００５／１２１２５７Ａ２、ＷＯ２００９／０７４４９２Ａ１、ＥＰ２２６４１０８Ａ１、ＥＰ２２６４１０９Ａ１及びＵＳ２００４／００２０４１０Ａ１に開示され、これらの参考文献の内容はここで本特許出願に含まれる。
【００６９】
同様に、表面反応沈降炭酸カルシウムが得られる。ＷＯ２００９／０７４４９２Ａ１から詳細にわかるように、表面反応沈降炭酸カルシウムは、沈降炭酸カルシウムを、Ｈ３Ｏ＋イオン及び水性媒体中で可溶化され、水不溶性カルシウム塩を形成することができるアニオンと、水性媒体中で接触させて、表面反応沈降炭酸カルシウムのスラリーを形成し、前記表面反応沈降炭酸カルシウムは、沈降炭酸カルシウムの少なくとも一部の表面上に形成された前記アニオンの不溶性の少なくとも部分的に結晶性のカルシウム塩を含む。
【００７０】
前記可溶化カルシウムイオンは、Ｈ３Ｏ＋イオンによる沈降炭酸カルシウムの溶解時に自然に生成される可溶化カルシウムイオンと比較して、過剰の可溶化カルシウムイオンに相当し、前記Ｈ３Ｏ＋イオンは、アニオンに対して対イオンの形態で、即ち酸又は非カルシウム酸性塩の形態のアニオンの添加により、及びさらなるカルシウムイオン又はカルシウムイオン発生源の非存在下で、単独で提供される。
【００７１】
前記過剰の可溶化カルシウムイオンは、好ましくは、可溶性中性若しくは酸性カルシウム塩の添加によって、又は可溶性中性若しくは酸性カルシウム塩をその場で生成する、酸又は中性若しくは酸性非カルシウム塩の添加によって提供される。
【００７２】
前記Ｈ３Ｏ＋イオンは、酸若しくは前記アニオンの酸性塩の添加によって、又は同時に作用して、前記過剰の可溶化カルシウムイオンの全部又は一部を提供する酸又は酸性塩の添加によって、提供され得る。
【００７３】
表面反応天然炭酸カルシウム又は沈降炭酸カルシウムの調製のさらに好ましい実施形態において、天然炭酸カルシウム又は沈降炭酸カルシウムを酸及び／又は二酸化炭素と、シリケート、シリカ、水酸化アルミニウム、ナトリウムアルミネート又はカリウムアルミネートなどのアルカリ土類アルミネート、酸化マグネシウム又はこれらの混合物からなる群から選択される少なくとも１種の化合物の存在下で反応させる。好ましくは、少なくとも１種のシリケートは、アルミニウムシリケート、カルシウムシリケート又はアルカリ土類金属シリケートから選択される。これらの成分は、酸及び／又は二酸化炭素を添加する前に、天然炭酸カルシウム又は沈降炭酸カルシウムを含む水性懸濁液に添加することができる。
【００７４】
代替的に、天然炭酸カルシウム又は沈降炭酸カルシウムと酸及び二酸化炭素との反応が既に開始しているときに、シリケート及び／又はシリカ及び／又は水酸化アルミニウム及び／又はアルカリ土類アルミネート及び／又は酸化マグネシウム成分を、天然炭酸カルシウム又は沈降炭酸カルシウムの水性懸濁液に添加することができる。少なくとも１種のシリケート及び／又はシリカ及び／又は水酸化アルミニウム及び／又はアルカリ土類アルミネート成分の存在下での表面反応天然炭酸カルシウム又は沈降炭酸カルシウムの調製に関するさらなる詳細は、ＷＯ２００４／０８３３１６Ａ１に開示され、この参考文献の内容はここで、本出願に含まれる。
【００７５】
表面反応炭酸カルシウムは、任意に分散剤によってさらに安定化させて、懸濁状態で維持することができる。当業者に公知の従来の分散剤を使用することができる。好ましい分散剤は、ポリアクリル酸及び／又はカルボキシメチルセルロースから構成される。
【００７６】
代替的に、上記の水性懸濁液を乾燥させることができ、これにより固体（即ち乾燥又は流体形態でないごく少量の水を含有）表面反応天然炭酸カルシウム又は沈降炭酸カルシウムが、細粒又は粉末の形態で得られる。
【００７７】
表面反応炭酸カルシウムは、例えばバラ形状、ゴルフボール形状及び／又は脳形状などの、各種の粒子形状を有し得る。
【００７８】
好ましい実施形態において、表面反応炭酸カルシウムは、窒素及びＢＥＴ法を使用して測定した、１５ｍ２／ｇから２００ｍ２／ｇ、好ましくは２７ｍ２／ｇから１８０ｍ２／ｇ、より好ましくは３０ｍ２／ｇから１６０ｍ２／ｇ、さらにより好ましくは４５ｍ２／ｇから１５０ｍ２／ｇ、最も好ましくは４８ｍ２／ｇから１４０ｍ２／ｇの比表面積を有する。例えば、表面反応炭酸カルシウムは、窒素及びＢＥＴ法を用いて測定した７５ｍ２／ｇ〜１００ｍ２／ｇの比表面積を有する。本発明の意味におけるＢＥＴ比表面積は、粒子の質量で割った粒子の表面積として定義される。本明細書で使用する場合、該比表面積は、ＢＥＴ等温線（ＩＳＯ  ９２７７：１９９５）を使用して吸着により測定し、ｍ２／ｇで規定する。
【００７９】
表面反応炭酸カルシウム粒子は、１から７５μｍ、好ましくは２から５０μｍ、より好ましくは３から４０μｍ、さらにより好ましくは４から３０μｍ及び最も好ましくは５から１５μｍの体積中央粒径ｄ５０（体積）を有することがさらに好ましい。
【００８０】
さらに、表面反応炭酸カルシウム粒子は、２から１５０μｍ、好ましくは４から１００μｍ、より好ましくは６から８０μｍ、さらにより好ましくは８から６０μｍ及び最も好ましくは１０から３０μｍの粒度ｄ９８（体積）を有することがさらに好ましいことがある。
【００８１】
ｄｘ値は、粒子のｘ％がｄｘ未満の直径を有する粒径を表す。このことは、ｄ９８値が全粒子の９８％がこれより小さい粒径であることを意味する。ｄ９８値は、「トップカット」とも呼ぶ。ｄｘ値は、体積又は重量パーセントで与えられ得る。このためｄ５０（重量）値は重量中央粒径であり、即ち全粒子の５０重量％がこの粒径より小さく、ｄ５０（体積）値は体積中央粒径であり、即ち全粒子の５０体積％であるこの粒径よりも小さい。
【００８２】
体積中央粒径ｄ５０は、マルバーン・マスターサイザ（Ｍａｌｖｅｒｎ  Ｍａｓｔｅｒｓｉｚｅｒ）２０００レーザ回折システムを用いて評価した。マルバーン・マスターサイザ２０００レーザ回折システムを用いて測定したｄ５０又はｄ９８値は、それぞれ粒子の５０体積％又は９８体積％がこの値未満の直径を有するような直径値を示す。測定によって得られた生データを、Ｍｉｅ理論を使用して、粒子屈折率１．５７及び吸収指数０．００５を用いて分析する。
【００８３】
重量中央粒径は、重量測定分野における沈降挙動の分析である沈降法によって求められる。測定は、Ｍｉｃｒｏｍｅｒｉｔｉｃｓ  Ｉｎｓｔｒｕｍｅｎｔ  Ｃｏｒｐｏｒａｔｉｏｎ製のＳｅｄｉｇｒａｐｈ（商標）５１００又は５１２０を用いて行う。方法及び機器は当業者に公知であり、充填剤及び顔料の粒径を決定するためによく使用されている。測定は０．１重量％Ｎａ４Ｐ２Ｏ７水溶液中で行う。高速撹拌機を使用してサンプルを分散させ、超音波処理した。
【００８４】
前記方法及び機器は当業者に公知であり、充填剤及び顔料の粒径を決定するためによく使用されている。
【００８５】
比細孔容積は、０．００４μｍ（ほぼｎｍ）のラプラススロート直径に等しい４１４ＭＰａ（６００００ｐｓｉ）の最大印加圧力を有するＭｉｃｒｏｍｅｒｉｔｉｃｓ  Ａｕｔｏｐｏｒｅ  Ｖ  ９６２０水銀ポロシメータを使用して、水銀圧入ポロシメトリー測定を用いて測定する。各圧力ステップで使用する平衡時間は、２０秒である。サンプル材料を分析用の５ｃｍ３チャンバ粉末硬度計内に密閉する。ソフトウェアＰｏｒｅ−Ｃｏｍｐを使用して、データを水銀圧縮ペネトロメータ拡張及びサンプル材料圧縮について補正する（Ｇａｎｅ、Ｐ．Ａ．Ｃ．，Ｋｅｔｔｌｅ，Ｊ．Ｐ．，Ｍａｔｔｈｅｗｓ、Ｇ．Ｐ．ａｎｄ  Ｒｉｄｇｗａｙ、Ｃ．Ｊ．，“Ｖｏｉｄ  Ｓｐａｃｅ  Ｓｔｒｕｃｔｕｒｅ  ｏｆ  Ｃｏｍｐｒｅｓｓｉｂｌｅ  Ｐｏｌｙｍｅｒ  Ｓｐｈｅｒｅｓ  ａｎｄ  Ｃｏｎｓｏｌｉｄａｔｅｄ  Ｃａｌｃｉｕｍ  Ｃａｒｂｏｎａｔｅ  Ｐａｐｅｒ−Ｃｏａｔｉｎｇ  Ｆｏｒｍｕｌａｔｉｏｎｓ”，Ｉｎｄｕｓｔｒｉａｌ  ａｎｄ  Ｅｎｇｉｎｅｅｒｉｎｇ  Ｃｈｅｍｉｓｔｒｙ  Ｒｅｓｅａｒｃｈ，３５（５），１９９６，ｐ１７５３−１７６４）。
【００８６】
累積圧入データに見られる総細孔容積を、２つの領域に分離することができ、２１４μｍから約１から４μｍまでの圧入データは、強く寄与する任意の凝集構造間でのサンプルの粗充填を示している。これらの直径以下では、粒子自体の微細な粒子間充填が存在する。粒子が、粒子内細孔をも有する場合には、この領域は双峰性に見えるため、本発明者らは、モード転換点よりも微細である、即ち双峰性変曲点よりも微細である細孔内への水銀圧入による比細孔容積を得ることによって、比粒子内細孔容積を定義する。これらの３つの領域の和は、粉末の全細孔容積を与えるが、分布の粗細孔端における粉末の元のサンプルの圧縮／沈降に強く依存する。
【００８７】
累積圧入曲線の一次導関数を得ることにより、必然的に孔の遮蔽を含む等価なラプラス（Ｌａｐｌａｃｅ）直径に基づく細孔径分布が明らかとなる。微分曲線は、粗凝集塊細孔構造領域、粒子間細孔領域、及びもし存在するならば、粒子内細孔領域を明らかに示している。粒子内細孔径範囲を知ることにより、総細孔容積から残りの粒子間及び凝集塊間細孔容積を差し引いて、単位細孔容積（比細孔容積）当たりの細孔容積に対する内部細孔のみの所望の細孔容積を与えることが可能である。同じ減算の原理はもちろん、関心のある他の細孔径領域のいずれをも分離するために適用される。
【００８８】
好ましくは、表面反応炭酸カルシウムは、水銀ポロシメトリー測定から計算した０．１〜２．３ｃｍ３／ｇ、より好ましくは０．２〜２．０ｃｍ３／ｇ、特に好ましくは０．４〜１．８ｃｍ３／ｇ及び最も好ましくは０．６〜１．６ｃｍ３／ｇの範囲内の粒子内圧入比細孔容積を有する。
【００８９】
表面反応炭酸カルシウムの粒子内孔径は、水銀ポロシメトリー測定によって求めた、好ましくは０．００４〜１．６μｍ、より好ましくは０．００５〜１．３μｍ、特に好ましくは０．００６〜１．１５μｍ及び最も好ましくは０．００７〜１．０μｍ、例えば０．００４〜０．５１μｍの範囲である。
【００９０】
＜方法ステップｂ）＞
本発明の方法のステップｂ）では、液体形態の１種以上の活性成分が提供される。
【００９１】
本発明の一実施形態において、１種以上の活性成分は、１種の活性成分を含み、好ましくは１種の活性成分からなる。又は、１種以上の活性成分は、２種以上の活性成分を含み、好ましくは２種以上の活性成分からなる。例えば、１種以上の活性成分は、２種又は３種の活性成分を含み、好ましくは２種又は３種の活性成分からなる。
【００９２】
好ましくは、１種以上の活性成分は、１種の活性成分を含み、好ましくは１種の活性成分からなる。
【００９３】
１種以上の活性成分が液体の形態で提供されることは、本発明の１つの要件である。
【００９４】
本発明の意味における「液体」という用語は、使用圧力条件及び温度、即ち方法、好ましくは方法ステップｃ）が行われる圧力及び温度にて、ただちに流動可能な１種以上の活性成分を含む又は１種以上の活性成分からなる非ガス状流体組成物を示す。
【００９５】
したがって、１種以上の活性成分は、５〜２００℃、好ましくは１０〜１２０℃及び最も好ましくは１０〜１００℃の温度範囲にて液体であり得ることが認識される。例えば、１種以上の活性成分は、周囲圧力条件、即ち大気圧下で５〜２００℃、好ましくは１０〜１２０℃及び最も好ましくは１０〜１００℃の温度範囲にて液体であることができる。又は、１種以上の活性成分は、減圧条件下、例えば１００〜７００ミリバールの圧力下で５〜２００℃、好ましくは１０〜１２０℃及び最も好ましくは１０〜１００℃の温度範囲にて液体であることができる。
【００９６】
一実施形態において、１種以上の活性成分は、周囲温度及び圧力条件、例えば室温、例えば約５〜３５℃、好ましくは１０〜３０℃及び最も好ましくは１５〜２５℃及び周囲圧力にて液体である。
【００９７】
代替的に、１種以上の活性成分は、使用温度、例えば約３５〜２００℃、好ましくは４５〜１２０℃及び最も好ましくは５５〜１００℃にて並びに周囲圧力条件下、即ち大気圧で又は減圧条件下で、例えば１００〜７００ミリバールの圧力下で溶融する。
【００９８】
代替的に、１種以上の活性成分を溶媒に溶解させる。即ち、１種以上の活性成分及び溶媒は、溶媒中に離散した固体粒子が認められず、ゆえに「溶液」を形成する系を形成する。
【００９９】
本発明の一実施形態において、溶媒は、水、メタノール、エタノール、ｎ−ブタノール、イソプロパノール、ｎ−プロパノール、アセトン、ジメチルスルホキシド、ジメチルホルムアミド、テトラヒドロフラン、植物油及びこれらの誘導体、動物油及びこれらの誘導体、溶融脂肪及びロウ並びにこれらの混合物を含む群から選択される。好ましくは、溶媒は水、エタノール及び／又はアセトンである。より好ましくは、溶媒は水である。
【０１００】
本発明の意味における「活性成分」という用語は、生物において特別な効果を有し、ヒト、動物、微生物及び／又は植物において特異的反応を引き起こす物質を示す。
【０１０１】
１種以上の活性成分がキラル化合物であり得ることが認識される。したがって、１種以上の活性成分は、（Ｒ）−エナンチオマー、（Ｓ）−エナンチオマー及びこれらの混合物、例えばラセミ混合物を含む。
【０１０２】
追加的に又は代替的に、１種以上の活性成分は、異性体化合物であってよい。したがって、１種以上の活性成分は、（Ｚ）−異性体、（Ｅ）−異性体及びこれらの混合物を含む。例えば、活性成分がシンナムアルデヒドであることが示されている場合、シンナムアルデヒドは、（Ｚ）−シンナムアルデヒド及び／又は（Ｅ）−シンナムアルデヒドとして存在し得る。
【０１０３】
例えば、１種以上の活性成分は、香料、フレーバー、精油、ハーブ抽出物、果実抽出物、栄養素、微量鉱物、忌避剤、食品、化粧品、甘味料、難燃剤、酵素、農薬、肥料、保存剤、酸化防止剤、反応性化学物質、薬学的活性剤又はこれらの薬学的不活性前駆体及びこれらの混合物を含む群から選択される。
【０１０４】
香料は、好ましくは少なくとも約１００ｇ／ｍｏｌの分子量を有し、臭気、芳香、エッセンス又は香りを単独又は他の香料と組合せて付与するのに有用である、アルコール、アルデヒド及び／又はケトンである。例えば、香料は、２，４−ジメチル−３−シクロヘキセン−１−メタノール（フロラロール）、２，４−ジメチルシクロヘキサンメタノール（ジヒドロフロラロール）、５，６−ジメチル−１−メチルエテニルビシクロ［２．２．１］ヘプタ−５−エン−２−メタノール（アルボゾール）、α，α、−４−トリメチル−３−シクロヘキセン−１−メタノール（α−テルピネオール）、２，４，６−トリメチル−３−シクロヘキセン−１−メタノール（イソシクロゲラニオール）、４−（１−メチルエチル）シクロヘキサンメタノール（メイオール）、α−３，３−トリメチル−２−ノルボランメタノール、１，１−ジメチル−１−（４−メチルシクロヘキサ−３−エニル）メタノール、２−フェニルエタノール、２−シクロヘキシルエタノール、２−（ｏ−メチルフェニル）−エタノール、２−（ｍ−メチルフェニル）エタノール、２−（ｐ−メチルフェニル）エタノール、６，６−ジメチルビシクロ−［３．１．１］ヘプタ−２−エン−２−エタノール（ノポール）、２−（４−メチルフェノキシ）−エタノール、３，３−ジメチル−△２−β−ノルボルナンエタノール（パッチョミント）、２−メチル−２−シクロヘキシルエタノール、１−（４−イソプロピルシクロヘキシル）エタノール、１−フェニルエタノール、１，１−ジメチル−２−フェニルエタノール、１，１−ジメチル−２−（４−メチルフェニル）エタノール、１−フェニルプロパノール、３−フェニルプロパノール、２−フェニルプロパノール（ヒドロトロピックアルコール）、２−（シクロドデシル）プロパン−１−オール（ヒドロキシアンブラン）、２，２−ジメチル−３−（３−メチルフェニル）−プロパン−１−オール（マジャントール）、２−メチル−３−フェニルプロパノール、３−フェニル−２−プロペン−１−オール（シンナミルアルコール）、２−メチル−３−フェニル−２−プロペン−１−オール（メチルシンナミルアルコール）、α−ｎ−ペンチル−３−フェニル−２−プロペン−１−オール（α−アミルシンナミルアルコール）、エチル−３−ヒドロキシ−３−フェニルプロピオネート、２−（４−メチルフェニル）−２−プロパノール、３−（４−メチルシクロヘキサ−３−エン）ブタノール、２−メチル−４−（２，２，３−トリメチル−３−シクロペンテン−１−イル）ブタノール、２−エチル−４−（２，２，３−トリメチルシクロペンタ−３−エニル）−２−ブテン−１−オール、３−メチル−２−ブテン−１−オール（プレノール）、２−メチル−４−（２，２，３−トリメチル−３−シクロペンテン−１−イル）−２−ブテン−１−オール、エチル３−ヒドロキシブチレート、４−フェニル−３−ブテン−２−オール、２−メチル−４−フェニルブタン−２−オール、４−（４−ヒドロキシフェニル）ブタン−２−オン、４−（４−ヒドロキシ−３−メトキシフェニル）−ブタン−２−オン、３−メチル−ペンタノール、３−メチル−３−ペンテン−１−オール、１−（２−プロペニル）シクロペンタン−１−オ���ル（プリノール）、２−メチル−４−フェニルペンタノール（パンプレフレール）、３−メチル−５−フェニルペンタノール（フェノキサノール）、２−メチル−５−フェニルペンタノール、２−メチル−５−（２，３−ジメチルトリシクロ［２．２．１．０．ｓｕｐ．（２，６）］ヘプタ−３−イル）−２−ペンテン−１−オール（サンタロール）、４−メチル−１−フェニル−２−ペンタノール、５−（２，２，３−トリメチル−３−シクロペンテニル）−３−メチルペンタン−２−オール（サンダロール）、（１−メチル−ビシクロ［２．１．１］ヘプタン−２−イル）−２−メチルペンタ−１−エン−３−オール、３−メチル−１−フェニルペンタン−３−オール、１，２−ジメチル−３−（１−メチルエテニル）シクロペンタン−１−オール、２−イソプロピル−５−メチル−２−ヘキセノール、シス−３−ヘキセン−１−オール、トランス−２−ヘキセン−１−オール、２−イソプロペニル−４−メチル−４−ヘキセン−１−オール（ラバンジュロール）、２−エチル−２−プレニル−３−ヘキセノール、１−ヒドロキシメチル−４−イソ−プロペニル−１−シクロヘキセン（ジヒドロクミニルアルコール）、１−メチル−４−イソプロペニルシクロヘキサ−６−エン−２−オール（カルベノール）、６−メチル−３−イソプロペニルシクロヘキサン−１−オール（ジヒドロカルベオール）、１−メチル−４−イソ−プロペニルシクロヘキサン−３−オール、４−イソプロピル−１−メチルシクロヘキサン−３−オール、４−ｔｅｒｔ−ブチルシクロ−ヘキサノール、２−ｔｅｒｔ−ブチルシクロヘキサノール、２−ｔｅｒｔ−ブチル−４−メチルシクロヘキサノール（ルータノール）、４−イソプロピル−シクロヘキサノール、４−メチル−１−（１−メチルエチル）−３−シクロヘキセン−１−オール、２−（５，６，６−トリメチル−２−ノルボルニル）シクロヘキサノール、イソボルニルシクロヘキサノール、３，３，５−トリメチルシクロヘキサノール、１−メチル−４−イソプロピルシクロヘキサン−３−オール、１−メチル−４−イソプロピルシクロヘキサン−８−オール（ジヒドロテルピネオール）、１，２−ジメチル−３−（１−メチルエチル）シクロヘキサン−１−オール、ヘプタノール、２，４−ジメチルヘプタン−１−オール、６−ヘプチル−５−ヘプタン−２−オール（イソリナロール）、２，４−ジメチル−２，６−ヘプタンジエノール、６，６−ジメチル−２−オキシメチル−ビシクロ［３．１．１］ヘプタ−２−エン（ミルテノール）、４−メチル−２，４−ヘプタジエン−１−オール、３，４，５，６，６−ペンタメチル−２−ヘプタノール、３，６−ジメチル−３−ビニル−５−ヘプテン−２−オール、６，６−ジメチル−３−ヒドロキシ−２−メチレンビシクロ［３．１．１］ヘプタン、１，７，７−トリメチルビシクロ［２．２．１］ヘプタン−２−オール、２，６−ジメチルヘプタン−２−オール（ジメトール）、２，６，６−トリメチルビシクロ［１．３．３］ヘプタン−２−オール、オクタノール、２−オクテノール、２−メチルオクタン−２−オール、２−メチル−６−メチレン−７−オクテン−２−オール（ミルセノール）、７−メチルオクタン−１−オール、３���７−ジメチル−６−オクテノール、３，７−ジメチル−７−オクテノール、３，７−ジメチル−６−オクテン−１−オール（シトロネロール）、３，７−ジメチル−２，６−オクタジエン−１−オール（ゲラニオール）、３，７−ジメチル−２，６−オクタジエン−１−オール（ネロール）、３，７−ジメチル−７−メトキシオクタン−２−オール（オシロール）、３，７−ジメチル−１，６−オクタジエン−３−オール（リナロール）、３，７−ジメチルオクタン−１−オール（ペラルゴール）、３，７−ジメチルオクタン−３−オール（テトラヒドロリナロール）、２，４−オクタジエン−１−オール、３，７−ジメチル−６−オクテン−３−オール（ジヒドロリナロール）、２，６−ジメチル−７−オクテン−２−オール（ジヒドロミルセノール）、２，６−ジメチル−５，７−オクタジエン−２−オール、４，７−ジメチル−４−ビニル−６−オクテン−３−オール、３−メチルオクタン−３−オール、２，６−ジメチルオクタン−２−オール、２，６−ジメチルオクタン−３−オール、３，６−ジメチルオクタン−３−オール、２，６−ジメチル−７−オクテン−２−オール、２，６−ジメチル−３，５−オクタジエン−２−オール（ムグオール）、３−メチル−１−オクテン−３−オール、７−ヒドロキシ−３，７−ジメチルオクタナール、３−ノナノール、２，６−ノナジエン−１−オール、シス−６−ノネン−１−オール、６，８−ジメチルノナン−２−オール、３−（ヒドロキシメチル）−２−ノナノン、２−ノネン−１−オール、２，４−ノナジエン−１−オール、３，７−ジメチル−１，６−ノナジエン−３−オール、デカノール、９−デセノール、２−ベンジル−Ｍ−ジオキサ−５−オール、２−デセン−１−オール、２，４−デカジエン−１−オール、４−メチル−３−デセン−５−オール、３，７，９−トリメチル−１，６−デカジエン−３−オール（イソブチル  リナロール）、ウンデカノール、２−ウンデセン−１−オール、１０−ウンデセン−１−オール、２−ドデセン−１−オール、２，４−ドデカジエン−１−オール、２，７，１１−トリメチル−２，６，１０−ドデカトリエン−１−オール（ファルネソール）、３，７，１１−トリメチル−１，６，１０，−ドデカトリエン−３−オール（ネロリドール）、３，７，１１，１５−テトラメチルヘキサデカ−２−エン−１−オール（フィトール）、３，７，１１，１５−テトラメチルヘキサデカ−１−エン−３−オール（イソフィトール）、ベンジルアルコール、ｐ−メトキシベンジルアルコール（アニシルアルコール）、パラ−シメン−７−オール（クミニルアルコール）、４−メチルベンジルアルコール、３，４−メチレンジオキシベンジルアルコール，メチルサリチレート、ベンジルサリチレート、シス−３−ヘキセニルサリチレート、ｎ−ペンチルサリチレート、２−フェニルエチルサリチレート、ｎ−ヘキシルサリチレート、２−メチル−５−イソプロピルフェノール、４−エチル−２−メトキシフェノール、４−アリル−２−メトキシフェノール（オイゲノール）、２−メトキシ−４−（１−プロペニル）フェノール（イソオイゲノール）、４−アリル−２，６−ジメトキシ−フェノール、４−ｔｅｒｔ−ブチルフェノール、��−エトキシ−４−メチルフェノール、２−メチル−４−ビニルフェノール、２−イソプロピル−５−メチルフェノール（チモール）、ペンチル−オルト−ヒドロキシベンゾエート、エチル２−ヒドロキシ−ベンゾエート、メチル  ２，４−ジヒドロキシ−３，６−ジメチルベンゾエート、３−ヒドロキシ−５−メトキシ−１−メチルベンゼン、２−ｔｅｒｔ−ブチル−４−メチル−１−ヒドロキシベンゼン、１−エトキシ−２−ヒドロキシ−４−プロペニルベンゼン、４−ヒドロキシトルエン、４−ヒドロキシ−３−メトキシベンズアルデヒド、２−エトキシ−４−ヒドロキシベンズアルデヒド、デカヒドロ−２−ナフトール、２，５，５−トリメチル−オクタヒドロ−２−ナフトール、１，３，３−トリメチル−２−ノルボルナノール（フェンコール）、３ａ，４，５，６，７，７ａ−ヘキサヒドロ−２，４−ジメチル−４，７−メタノ−１Ｈ−インデン−５−オール、３ａ，４，５，６，７，７ａ−ヘキサヒドロ−３，４−ジメチル−４，７−メタノ−１Ｈ−インデン−５−オール、２−メチル−２−ビニル−５−（１−ヒドロキシ−１−メチルエチル）テトラヒドロフラン、β−カリオフィレンアルコール、バニリン、エチルバニリン、シンナムアルデヒド、ベンズアルデヒド、フェニルアセトアルデヒド、ヘプチルアルデヒド、オクチルアルデヒド、デシルアルデヒド、ウンデシルアルデヒド、ウンデシレンアルデヒド、ドデシルアルデヒド、トリデシルアルデヒド、メチルノニルアルデヒド、ジデシルアルデヒド、アニスアルデヒド、シトロネラール、シトロネリルオキシアルデヒド、シクラメンアルデヒド、α−ヘキシルシンナムアルデヒド、ヒドロキシシトロネラール、α−メチルシンナムアルデヒド、メチルノニルアセトアルデヒド、プロピルフェニルアルデヒド、シトラール、ペリラアルデヒド、トリルアルデヒド、トリルアセトアルデヒド、クミンアルデヒド、リリアール（Ｒ）、サリチルアルデヒド、α−アミルシンナムアルデヒド及びヘリオトロピン並びにこれらの混合物を含む群から選択することができる。
【０１０５】
様々な精油、ハーブ抽出物及び／又は果実抽出物、好ましくは様々な医薬品又は栄養補助食品特性を有するものも使用され得る。精油、ハーブ抽出物及び／又は果実抽出物は、一般に、薬用又は風味付けに使用することができる抽出物又は芳香植物、植物部分、果物又は果物部分である。適切なハーブ抽出物及び／又は果実抽出物は単独で又は様々の混合物として使用することができる。一般に使用される精油、ハーブ抽出物及び／又は果実抽出物としては、エキナセア、ゴールデンシール、キンセンカ、ローズマリー、タイム、カバ、アロエ、サンギナリア、グレープフルーツ種子抽出物、ブラックコホシュ、ヤクヨウニンジン、ガラナ、クランベリー、イチョウ、セイヨウオトギリ、月見草油、ヨヒンベ樹皮、緑茶、マオウ、マカ、ビルベリー、ルテイン、ショウガ、オイゲノール含有油及びこれらの組合せが挙げられる。
【０１０６】
実質的に任意のビタミン、ミネラル及び／又はファイトケミカルを含む、様々な栄養素が使用され得る。例えばビタミンＡ、ビタミンＢ１、ビタミンＢ６、ビタミンＢ１２、ビタミンＢ２、ビタミンＢ６、ビタミンＤ、ビタミンＥ、即ちトコフェロール、ビタミンＫ、チアミン、リボフラビン、ビオチン、葉酸、ナイアシン、パントテン酸、Ｑ１０、アルファリポ酸、ジヒドロリポ酸、クルクミン、キサントフィル、ベータクリプトキサンチン、リコピン、ルテイン、ゼアキサンチン、アスタキサンチン、ベータカロテン、カロテン、混合カロテノイド、ポリフェノール、フラボノイド、ナトリウム、カリウム、カルシウム、マグネシウム、硫黄、塩素、コリン及び／又はファイトケミカル、例えばカロテノイド、クロロフィル、クロロフィリン、ファイバー、フラバノイド、アントシアニン、シアニジン、デルフィニジン、マルビジン、ペラルゴニジン、ペオニジン、ペツニジン、フラバノール、カテキン、エピカテキン、エピガロカテキン、エピガロカテキンガレート、テアフラビン、テアルビギン、プロアントシアニン、フラボノール、ケルセチン、ケンフェロール、ミリセチン、イソラムネチン、フラボノンセスフェレチン、ナリンゲニン、エリオジクチオール、タンゲレチン、フラボン、アピゲニン、ルテオリン、リグナン、植物エストロゲン、レスベラトロール、イソフラボン、ダイゼイン、ゲニステイン、グリシテイン、大豆イソフラボン及びこれらの組合せが使用され得る。活性成分として使用することができる栄養素の例は、米国特許出願公開第２００３／０１５７２１３Ａ１号、第２００３／０２０６９９３号及び第２００３／００９９７４１Ａ１号に記載されており、これらはすべての目的のために参照によりその全体が本明細書に組み入れられている。
【０１０７】
一実施形態において、微量鉱物、例えばマンガン、亜鉛、銅、フッ素、モリブデン、ヨウ素、コバルト、クロム、セレン、リン及びこれらの組合せを使用することができる。
【０１０８】
酵素としては補酵素Ｑ１０、ペプシン、フィターゼ、トリプシン、リパーゼ、プロテアーゼ、セルラーゼ、ラクターゼ及びこれらの組合せが挙げられるが、これに限定されない。
【０１０９】
農薬は、好ましくは、当業者に既知である、任意の既知の除草剤、殺虫剤、昆虫成長調節剤、殺線虫剤、殺シロアリ剤、軟体動物駆除剤、殺魚剤、殺鳥剤、殺鼠剤、殺捕食生物剤（ｐｒｅｄａｃｉｄｅ）、殺菌剤、昆虫忌避剤、動物忌避剤、殺微生物剤、殺真菌剤、消毒薬（ｄｉｓｉｎｆｅｃｔａｎｔ）（殺微生物剤）及び消毒薬（ｓａｎｉｔｉｚｅｒ）である。
【０１１０】
保存剤は、当業者に既知である任意の化合物であってよいことに留意されたい。例えば保存剤としては、フェノキシエタノール、エチルヘキシルグリセリン、パラベン、例えばメチルパラベン、エチルパラベン、プロピルパラベン、ブチルパラベン及びこれらの混合物、塩化ベンザルコニウム、クロロブタノール、ベンジルアルコール、塩化セチルピリジニウム、酒石酸、乳酸、リンゴ酸、酢酸、安息香酸、ナトリウムベンゾエート、ソルビン酸、カリウムソルベート及びこれらの混合物が挙げられるが、これに限定されない。
【０１１１】
酸化防止剤は、好ましくは以下を含む群から選択される：
ブチルヒドロキシアニソール（ＢＨＡ）、ブチルヒドロキシトルエン（ＢＨＴ）、ガレート、カロチノイド、ポリフェノール、例えばレスベラトロール、フラボノイド及びこれらの混合物、ポリフェノールの誘導体、トコフェロール及びこれらの塩、ベータカロチン、ユビキノン、トコトリエノール、ジヒドロケルセチン、天然起源の酸化防止剤及びこれらの混合物。酸化防止剤が天然起源である場合、酸化防止剤は、例えば針葉樹抽出物、カイガンショウ樹皮抽出物、例えばスイスのＨｏｒｐｈａｇ製Ｐｙｃｎｏｇｅｎｏｌ（Ｒ）及び／又はエンビリカ・オフィシナル（ｅｍｂｌｉｃａ  ｏｆｆｉｃｉｎａｌｉｓ）果実抽出物、例えばドイツのＳａｂｉｎｓａ  ｃｏｒｐｏｒａｔｉｏｎ製のＳａｂｅｒｒｙ（Ｒ）が挙げられる。
【０１１２】
薬学的活性剤又はこれらの薬学的不活性前駆体は、好ましくは、合成起源、半合成起源、天然起源の薬学的活性剤又は薬学的不活性前駆体及びこれらの組合せを含む群から選択される。
【０１１３】
したがって、薬学的活性剤は、合成起源、半合成起源、天然起源である薬学的活性剤及びこれらの組合せを示す。さらに、薬学的活性剤の薬学的不活性前駆体とは、合成起源、半合成起源、天然起源である薬学的不活性前駆体及びこれらの組合せであり、後の段階で活性化されてそれぞれの薬学的活性剤となる、薬学的不活性前駆体を示す。
【０１１４】
このような薬学的不活性前駆体の活性化は当業者に既知であり、一般に例えば胃及び／又は胃腸経路における活性化、例えば酸性活性化又はトリプシン若しくはキモトリプシン分解に使用されている。
【０１１５】
記載した活性化方法は単に例示的な性質であり、限定的な性質ではないことは、当業者の理解の範囲内である。
【０１１６】
薬学的活性剤又はこれの薬学的不活性前駆体は、当業者に既知である任意のこのような化合物であり得ることに留意されたい。
【０１１７】
したがって、薬学的活性剤には、ヒト及び／又は動物に投与された場合に、予防的特性及び／又は治療的特性を与える任意の化合物が含まれる。例としては薬学的活性物質、治療活性物質、動物用活性物質、栄養補給物質及び成長調節物質が含まれるが、これらに限定されない。
【０１１８】
薬学的活性剤又はこれの薬学的不活性前駆体は、抗炎症剤であることができる。このような薬剤としては、非ステロイド性抗炎症剤、即ちＮＳＡＩＤ、例えばプロピオン酸誘導体、酢酸誘導体、フェナム酸誘導体、ビフェニルカルボン酸誘導体及びオキシカムが挙げられ得るが、これに限定されない。これらのＮＳＡＩＤはすべて、このようなＮＳＡＩＤの記載に関してこれらの全体が参照により本明細書に組み入れられている、Ｓｕｎｓｈｉｎｅらの米国特許第４，９８５，４５９号に十分に記載されている。有用なＮＳＡＩＤの例としては、アセチルサリチル酸、イブプロフェン、ナプロキセン、ベノキサプロフェン、フルビプロフェン、フェノプロフェン、フェンブフェン、ケトプロフェン、インドプロフェン、ピプロフェン、カルプロフェン、オキサプロジン、プラノプロフェン、ミクロプロフェン、チオキサプロフェン、スプロフェン、アルミノプロフェン、チアプロフェン酸、フルプロフェン、ブクロキシ酸及びこれらの混合物が挙げられる。
【０１１９】
ステロイド性抗炎症薬、例えばヒドロコルチゾンなど及びＣＯＸ−２阻害剤、例えばメロキシカム、セレコキシブ、ロフェコキシブ、バルデコキシブ、エトリコキシブ又はこれらの混合物も有用である。上記抗炎症剤のいずれの混合物も使用され得る。
【０１２０】
薬学的活性剤又はこれの薬学的不活性前駆体として使用することができる他の材料としては、一般に既知の口腔製品及び咽喉製品が挙げられる。これらの製品としては、上気道薬、例えばフェニレフリン、ジフェンヒドラミン、デキストロメトルファン、ブロムヘキシン及びキラルフェニラミン、胃腸薬、例えばファモチジン、ロペラミド及びシメチコン、抗真菌薬、例えばミコナゾールニトレート、抗生物質及び鎮痛薬、例えばケトプロフェン及びフルビプロフェンが挙げられるが、これに限定されない。
【０１２１】
薬学的活性剤又はこれの薬学的不活性前駆体は、ナトリウムピロサルファイト、ブチルヒドロキシトルエン、ブチル化ヒドロキシアニソールからも選択され得る。
【０１２２】
薬学的活性剤又はこれの薬学的不活性前駆体は、エフェドリン、マガルドレート、プソイドエフェドリン、シルデナフィル、キシロカイン、塩化ベンザルコニウム、カフェイン、フェニレフリン、アンフェプラモン、オルリスタット、シブトラミン、アセトアミノフェン、アスピリン、グリタゾン、メトホルミン、クロルプロマジン、ジメンヒドリナート、ドンペリドン、メクロジン、メトクロプラミド、オンダンセトロン、プレドニゾロン、プロメタジン、アクリバスチン、セチリジン、シンナリジン、クレマスチン、シクリジン、デスロラタジン、デキスクロルフェニラミン、ジメンヒドリナート、エバスチン、フェキソフェナジン、イブプロフェン、レボレボプロリシン、ロラタジン、メクロジン、ミゾラスチン、プロメタジン、ミコナゾール、クロルヘキシジンジアセテート、フッ化物、デカペプチドＫＳＬ、フッ化アルミニウム、アミノキレート化カルシウム、フッ化アンモニウム、アンモニウムフルオロシリケート、アンモニウムモノフルオロホスフェート、フッ化カルシウム、カルシウムグルコネート、カルシウムグリセロホスフェート、カルシウムラクテート、カルシウムモノフルオロホスフェート、炭酸カルシウム、カルバミド、塩化セチルピリジニウム、クロルヘキシジン、クロルヘキシジンジグルコネート、塩化クロルヘキシジン、クロルヘキシジンジアセテート、ＣＰＰカゼインホスホペプチド、ヘキセテジン、フッ化オクタデセンチル（ｏｃｔａｄｅｃｅｎｔｙｌ）アンモニウム、カリウムフルオロシリケート、塩化カリウム、カリウムモノフルオロホスフェート、重炭酸ナトリウム、炭酸ナトリウム、フッ化ナトリウム、ナトリウムフルオロシリケート、ナトリウムモノフルオロホスフェート、ナトリウムトリポリホスフェート、フッ化第一スズ、ステアリルトリヒドロキシエチルプロピレンジアミンジヒドロフルオリド、塩化ストロンチウム、テトラカリウムピロホスフェート、テトラナトリウムピロホスフェート、トリカリウムオルトホスフェート、トリナトリウムオルトホスフェート、アルギン酸、水酸化アルミニウム、重炭酸ナトリウム、シルデナフィル、タダラフィル、バルデナフィル、ヨヒンビン、シメチジン、ニザチジン、ラニチジン、アセチルサリチル酸、クロピドグレル、アセチルシステイン、ブロムヘキシン、コデイン、デキストロメトルファン、ジフェンヒドラミン、ノスカピン、フェニルプロパノールアミン、ビタミンＤ、シンバスタチン、ビサコジル、ラクチトール、ラクツロース、酸化マグネシウム、ナトリウムピコサルフェート、セナグリコシド、ベンゾカイン、リドカイン、テトラカイン、アルモトリプタン、エレトリプタリン、ナラトリプタン、リザトリプタン、スマトリプタン、ゾルミトリプタン、カルシウム、クロム、銅、ヨウ素、マグネシウム、マンガン、モリブデン、リン、セレン、亜鉛、クロラミン、過酸化水素、メトロニダゾール、トリアムシノロンアセトニド、塩化ベンゼトニウム、塩化セチルピリジニウム、クロルヘキシジン、フッ化物、リドカイン、アンホテリシン、ミコナゾール、ナイスタチン、魚油、イチョウ、ヤクヨウニンジン、ショウガ、ムラサキバレンギク、ノコギリパルメット、セチリジン、レボセチリジン、ロラタジン、ジクロフェナク、フルルビプロフェン、アクリバスチンプソイドエフェドリン、ロラタジンプソイドエフェドリン、グルコサミン、ヒアルロン酸、デカペプチドＫＳＬ−Ｗ、デカペプチドＫＳＬ、レスベラトロール、ミソプロストール、ブプロピオン、塩酸オンダンセトロン、エソメプラゾール、ランソプラゾール、オメプラゾール、パントプラゾール、ラベプラゾール、細菌など、ロペラミド、シメチコン、アセチルサリチル酸及びその他、スクラルファート、クロトリマゾール、フルコナゾール、イトラコナゾール、ケトコナゾール、テルビナフィン、アロプリノール、プロベネシド、アトルバスタチン、フルバスタチン、ロバスタチン、ニコチン酸、プラバスタチン、ロスバスタチン、シンバスタチン、ピロカルピン、ナプロキセン、アレンドロネート、エチドロネート、ラロキシフェン、リセドロネート、ベンゾジアゼピン、ジスルフィラム、ナルトレキソン、ブプレノルフィン、コデイン、デキストロプロポキシフェン、フェンタニル、ヒドロモルホン、ケトベミドン、ケトプロフェン、メタドン、モルフィン、ナプロキセン、ニコモルフィン、オキシコドン、ペチジン、トラマドール、アモキシリン、アンピシリン、アジスロマイシン、シプロフロキサシン、クラリスロマイシン、ドキシサイクリン、エリスロマイシン、フシジン酸、リメサイクリン、メトロニダゾール、モキシフロキサシン、オフロキサシン、オキシテトラサイクリン、フェノキシメチルペニシリン、リファマイシン、ロキシスロマイシン、スルファメチゾール、テトラサイクリン、トリメトプリム、バンコマイシン、アカルボース、グリベンクラミド、グリクラジド、グリメピリド、グリピジド、インスリン、レパグリニド、トルブタミド、オセルタミビル、アシクロビル、ファムシクロビル、ペンシクロビル、バルガンシクロビル、アムロジピン、ジルチアゼム、フェロジピン、ニフェジピン、ベラパミル、フィナステリド、ミノキシジル、コカイン、ブプレノルフィン、クロニジン、メタドン、ナルトレキソン、カルシウム拮抗薬、クロニジン、エルゴタミン、βブロッカー、アセクロフェナク、セレコキシブ、デキシブプロフェン、エトドラク、インドメタシン、ケトプロフェン、ケトロラク、ロルノキシカム、メロキシカム、ナブメトン、オイロキシカム（ｏｉｒｏｘｉｃａｍ）、パレコキシブ、フェニルブタゾン、ピロキシカム、チアプロフェン酸、トルフェナム酸、アリピプラゾール、クロルプロマジン、クロルプロチキセン、クロザピン、フルペンチキソール、フルフェナジン、ハロペリドール、炭酸リチウム、リチウムシトレート、メルペロン、ペンフルリドール、ペリシアジン、ペルフェナジン、ピモジド、ピパンペロン、プロクロルペラジン、リスペリドン、チオリダジン、フルコナゾール、イトラコナゾール、ケトコナゾール、ボリコナゾール、オピウム、ベンゾジアゼピン、ヒドロキシン、メプロバメート、フェノチアジン、アルミニウムアミノアセテート、エソメプラゾール、ファモチジン、酸化マグネシウム、ニザチド、オメプラゾール、パントプラゾール、フルコナゾール、イトラコナゾール、ケトコナゾール、メトロニダゾール、アンフェタミン、アテノロール、ビソプロロールフマレート、メトプロロール、メトロポロー���（ｍｅｔｒｏｐｏｌｏｌ）、ピンドロール、プロプラノロール、アウラノフィン及びベンダザックからも選択され得る。
【０１２３】
有用な薬学的活性剤又はこれらの薬学的不活性前駆体のさらなる例としては、鎮痛薬、麻酔薬、解熱薬、抗アレルギー薬、抗不整脈薬、食欲抑制薬、抗真菌薬、抗炎症薬、気管支拡張薬、心臓血管薬、冠動脈拡張剤、脳拡張剤、末梢血管拡張剤、抗感染薬、向精神薬、抗躁病薬、興奮剤、抗ヒスタミン薬、緩下薬、うっ血除去薬、胃腸鎮静薬、性機能障害薬、消毒薬、止瀉薬、抗狭心症物質、血管拡張薬、抗高血圧剤、血管収縮薬、片頭痛治療剤、抗生物質、精神安定剤、抗精神病薬、抗腫瘍薬、抗凝固薬、抗血栓薬、催眠薬、鎮静薬、鎮吐薬、制嘔吐剤、抗痙攣薬、神経筋薬、高血糖症及び低血糖症剤、甲状腺及び抗甲状腺剤、利尿剤、鎮痙剤、子宮弛緩薬、抗肥満剤、食欲減退薬、Ｓｐａｓｎｏｌｙｔｉｃｓ、タンパク質同化剤、赤血球産生剤、抗喘息薬、去痰薬、咳止め薬、粘液溶解薬、抗尿酸血症剤、歯科用ビヒクル、呼気清涼薬、制酸薬、抗利尿薬、整腸剤、ベータ遮断薬、歯科用ホワイトニング剤、酵素、補酵素、タンパク質、エネルギー増強剤、繊維、プロバイオティクス、プレバイオティクス、ＮＳＡＩＤ、鎮咳薬、うっ血除去薬、抗ヒスタミン薬、去痰薬、止瀉薬、水素拮抗薬、プロトンポンプ阻害剤、一般非選択性ＣＮＳ抑制薬、一般非選択性ＣＮＳ興奮薬、選択性ＣＮＳ機能修飾薬、抗パーキンソン病薬、麻薬性鎮痛剤、鎮痛−解熱薬、精神薬理薬、及び性機能障害薬を含む治療群から選択される活性成分を挙げることができる。
【０１２４】
有用な薬学的活性剤又はこれらの薬学的不活性前駆体の例としては、カゼイングリコマクロペプチド（ＣＧＭＰ）、トリクロサン、塩化セチルピリジニウム、臭化ドミフェン、四級アンモニウム塩、亜鉛成分、サンギナリン、フッ化物、アレキシジン、オクトニジン、ＥＤＴＡ、アスピリン、アセトアミノフェン、イブプロフェン、ケトプロフェン、ジフルニサル、フェノプロフェンカルシウム、ナプロキセン、トルメチンナトリウム、インドメタシン、ベンゾナテート、カラミフェンエジシレート、メントール、臭化水素酸デキストロメトルファン、塩酸テオブロミン、塩酸クロフェンジアノール、塩酸プソイドエフェドリン、フェニレフリン、フェニルプロパノールアミン、プソイドエフェドリンサルフェート、ブロモフェニラミンマレエート、クロルフェニラミンマレエート、カルビノキサミンマレエート、クレマスチンフマレート、デキスクロルフェニラミンマレエート、塩酸デフェンヒドラミン（Ｄｅｐｈｅｎｈｙｄｒａｍｉｎｅ）、塩酸ジフェンピラリド、アザタジンマレエート、ジフェンヒドラミンシトレート、ドキシルアミンサクシネート、塩酸プロメタジン、ピリルアミンマレエート、トリペレナミンシトレート、塩酸トリプロリジン、アクリバスチン、ロラタジン、ブロムフェニラミン、デキスブロムフェニアミン（Ｄｅｘｂｒｏｍｐｈｅｎｉａｍｉｎｅ）、グアイフェネシン、イペカック、臭化カリウム、抱水テルピン、ロペラミド、ファモチジン、ラニチジン、オメプラゾール、ランソプラゾール、脂肪族アルコール、バルビツレート、カフェイン、ストリキニーネ、ピクロトキシン、ペンチエンテトラゾール（Ｐｅｎｔｙｅｎｅｔｅｔｒａｚｏｌ）、フェニヒダントイン（Ｐｈｅｎｙｈｙｄａｎｔｏｉｎ）、フェノバルビタール、プリミドン、カルバマザピン（Ｃａｒｂａｍａｚａｐｉｎｅ）、エトクススキシミド（Ｅｔｏｘｓｕｘｉｍｉｄｅ）、メサクシミド、フェンスクシミド、トリメタジオン、ジアゼパム、ベンゾジアゼピン、フェナセミド、フェネツリッド、アセタゾラミド、スルチアム、臭化物、レボドパ、アマンタジン、モルフィン、ヘロイン、ヒドロモルホン、メトポン、オキシモルホン、レボファノール、コデイン、ヒドロコドン、キシコドン（Ｘｙｃｏｄｏｎｅ）、ナロルフィン、ナロキソン、ナルトレキソン、サリチレート、フェニルブタゾン、インドメタシン、フェナセチン、クロルプロマジン、メトトリメプラジン、ハロペリドール、クロザピン、レセルピン、イミプラミン、トラニルシプロミン、フェネルジン、リチウム、シルデナフィルシトレート、タダラフィル及びバルデナフィルＣＬも挙げられる。例えば、オイゲノールを麻酔薬として使用することができる。
【０１２５】
有用な薬学的活性剤又はこれの薬学的不活性前駆体の例としては、ＡＣＥ阻害剤、抗狭心症薬、抗不整脈薬、抗喘息薬、抗コレステロール血症薬、鎮痛薬、麻酔薬、抗痙攣薬、抗うつ薬、抗糖尿病薬、抗下痢調製物、解毒剤、抗ヒスタミン薬、抗高血圧剤、抗炎症剤、抗脂質薬、抗躁病薬、制嘔吐剤、抗卒中剤、抗甲状腺調製物、抗腫瘍薬、抗ウイルス剤、ざ瘡薬、アルカロイド、アミノ酸調製物、鎮咳薬、抗尿酸血症剤、抗ウイルス薬、タンパク同化調製物、全身性及び非全身性抗感染薬剤、抗新生物薬、抗パーキンソン病薬剤、抗リウマチ性薬剤、食欲促進剤、生物反応修飾剤、血液修飾剤、骨代謝調節剤、心臓血管薬剤、中枢神経系刺激剤、コリンエステラーゼ阻害剤、避妊薬、うっ血除去薬、栄養補助食品、ドーパミン受容体作用薬、子宮内膜症管理薬、酵素、バイアグラ（商標）として現在市販されている、シルデナフィルシトレートなどの勃起障害治療薬、妊娠促進薬、胃腸剤、ホメオパシー治療薬、ホルモン、高カルシウム血症及び低カルシウム血症管理剤、免疫調節薬、免疫抑制薬、片頭痛調製物、乗り物酔い治療薬、筋肉弛緩剤、肥満管理剤、骨粗しょう症調製物、子宮収縮剤、副交感神経遮断薬、副交感神経興奮薬、プロスタグランジン、精神治療薬剤、呼吸性薬剤、鎮静剤、ブロモクリプチンなどの禁煙補助薬、交感神経遮断薬剤、振戦用調製物、尿路剤、血管拡張剤、緩下薬、制酸薬、イオン交換樹脂、解熱剤、食欲抑制剤、去痰薬、抗不安剤、抗潰瘍剤、抗炎症性物質、冠動脈拡張薬、脳拡張剤、末梢血管拡張剤、向精神剤、刺激剤、抗高血圧薬、血管収縮剤、片頭痛治療薬、抗生物質、精神安定剤、抗精神病薬、抗腫瘍薬、抗凝固薬、抗血栓薬、催眠剤、鎮吐剤、制嘔吐剤、抗痙攣薬、神経筋薬、高血糖症及び低血糖症剤、甲状腺及び抗甲状腺剤、利尿剤、鎮痙剤、子宮弛緩薬（ｔｅｒｉｎｅ  ｒｅｌａｘａｎｔｓ）、抗肥満薬、赤血球産生剤、抗喘息薬、咳止め薬、粘液溶解薬、ＤＮＡ及び遺伝子修飾薬並びにこれらの組合せから選択される活性成分を含み得る。
【０１２６】
検討された有用な薬学的活性剤又はこれらの薬学的不活性前駆体の例は、制酸薬、Ｈ２拮抗薬及び鎮痛薬も含むことができる。例えば、制酸薬投薬量は、成分炭酸カルシウムを単独で、又は水酸化マグネシウム及び／又は水酸化アルミニウムと組合せて使用して調製することができる。さらに制酸薬は、Ｈ２拮抗薬と組合せて使用することができる。
【０１２７】
鎮痛薬としては、オピエート及びオピエート誘導体、例えばオキシコンチン（商標）、イブプロフェン、アスピリン、アセトアミノフェン及びカフェインを任意に含み得るこれらの組合せが挙げられる。
【０１２８】
他の有用な薬学的活性剤又はこれらの薬学的不活性前駆体として、Ｉｍｍｏｄｉｕｍ（商標）ＡＤなどの止瀉薬、抗ヒスタミン薬、鎮咳薬、うっ血除去薬、ビタミン及び呼気清涼剤を挙げることができる。本明細書では、Ｘａｎａｘ（商標）などの抗不安薬、Ｃｌｏｚａｒｉｌ（商標）及びＨａｌｄｏｌ（商標）などの抗精神病薬、イブプロフェン、ナプロキセンナトリウム、Ｖｏｌｔａｒｅｎ（商標）及びＬｏｄｉｎｅ（商標）などの非ステロイド性抗炎症薬（ＮＳＡＩＤ）、Ｃｌａｒｉｔｉｎ（商標）、Ｈｉｓｍａｎａｌ（商標）、Ｒｅｌａｆｅｎ（商標）及びＴａｖｉｓｔ（商標）などの抗ヒスタミン薬、Ｋｙｔｒｉｌ（商標）及びＣｅｓａｍｅｔ（商標）などの鎮吐薬、Ｂｅｎｔｏｌｉｎ（商標）、Ｐｒｏｖｅｎｔｉｌ（商標）などの気管支拡張剤；Ｐｒｏｚａｃ（商標）、Ｚｏｌｏｆｔ（商標）及びＰａｘｉｌ（商標）などの抗うつ薬、Ｉｍｉｇｒａ（商標）などの抗片頭痛薬、Ｖａｓｏｔｅｃ（商標）、Ｃａｐｏｔｅｎ（商標）及びＺｅｓｔｒｉｌ（商標）などのＡＣＥ阻害薬、Ｎｉｃｅｒｇｏｌｉｎｅ（商標）などの抗アルツハイマー剤、Ｐｒｏｃａｒｄｉａ（商標）、Ａｄａｌａｔ（商標）及びＣａｌａｎ（商標）などのＣａＨ拮抗薬の使用も検討される。
【０１２９】
本発明での使用が検討される一般的なＨ２拮抗薬としては、シメチジン、塩酸ラニチジン、ファモチジン、ニザチジン、エブロチジン、ミフェンチジン、ロキサチジン、ピサチジン及びアセロキサチジンが挙げられる。
【０１３０】
活性制酸成分としては、以下の水酸化アルミニウム、ジヒドロキシアルミニウムアミノアセテート、アミノ酢酸、アルミニウムホスフェート、ジヒドロキシアルミニウムナトリウムカーボネート、重炭酸塩、ビスマスアルミネート、炭酸ビスマス、次炭酸ビスマス、ビスマスサブガレート、ビスマスサブニトレート、ビスマスサブシリシレート、カルシウムホスフェート、シトレートイオン（酸又は塩）、アミノ酢酸、水和マグネシウムアルミネートスルフェート、マガルドレート、マグネシウムアルミノシリケート、炭酸マグネシウム、マグネシウムグリシネート、水酸化マグネシウム、酸化マグネシウム、マグネシウムトリシリケート、乳固形分、アルミニウム一塩基性又は二塩基性カルシウムホスフェート、トリカルシウムホスフェート、重炭酸カリウム、ナトリウムタートレート、重炭酸ナトリウム、マグネシウムアルミノシリケート、酒石酸及び塩が挙げられるが、これに限定されない。
【０１３１】
いくつかの実施形態において、薬学的活性剤又はこれの薬学的不活性前駆体は、メントール、フェノール、ヘキシルレゾルシノール、ベンゾカイン、塩酸ジクロニン、ベンジルアルコール、サリチルアルコール及びこれらの組合せなどの鎮痛薬／麻酔薬から選択することができる。いくつかの実施形態において、薬学的活性剤又はこれの薬学的不活性前駆体は、アカニレ樹皮、ペクチン、ゼラチン及びこれらの組合せなどの粘滑剤から選択することができる。いくつかの実施形態において、薬学的活性剤又はこれの薬学的不活性前駆体は、塩化セチルピリジニウム、臭化ドミフェン、塩化デクアリニウム、オイゲノール及びこれらの組合せなどの消毒成分から選択することができる。
【０１３２】
いくつかの実施形態において、薬学的活性剤又はこれの薬学的不活性前駆体は、塩酸クロルフェジアノール、コデイン、コデインホスフェート、コデインサルフェート、デキストロメトルファン、臭化水素酸デキストロメトルファン、ジフェンヒドラミンシトレート及び塩酸ジフェンヒドラミン並びにこれらの組合せなどの鎮咳成分から選択することができる。
【０１３３】
いくつかの実施形態において、薬学的活性剤又はこれの薬学的不活性前駆体は、蜂蜜、プロポリス、アロエベラ、グリセリン、メントール及びこれらの組合せなどの喉無痛化剤から選択することができる。なお他の実施形態において、薬学的活性剤又はこれらの薬学的不活性前駆体は、咳止め薬から選択することができる。このような咳止め薬は、粘液溶解薬及び去痰剤などの痰の質感又は産生を変化させるものと、コデイン（麻薬性咳止め薬）、抗ヒスタミン薬、デキストロメトルファン及びイソプロテレノール（非麻薬性咳止め薬）などの咳反射を抑制するものの２つの群に分類される。
【０１３４】
なお他の実施形態において、薬学的活性剤又はこれの薬学的不活性前駆体は、コデイン、デキストロメトルファン、デキストロルファン、ジフェンヒドラミン、ヒドロコドン、ノスカピン、オキシコドン、ペントキシベリン及びこれらの組合せを含む群から選択される鎮咳薬であり得る。いくつかの実施形態において、薬学的活性剤又はこれの薬学的不活性前駆体は、抗ヒスタミン薬、例えばアクリバスチン、アザタジン、ブロモフェニラミン、クロ［フィ］ヘニラミン、クレマスチン、シプロヘプタジン、デキスブロモフェニラミン、ジメンヒドリネート、ジフェンヒドラミン、ドキシラミン、ヒドロキシジン、メクリジン、フェニンダミン、フェニルトロキサミン、プロメタジン、ピリラミン、トリペレナミン、トリプロリジン及びこれらの組合せから選択することができる。いくつかの実施形態において、薬学的活性剤又はこれらの薬学的不活性前駆体は、非鎮静性抗ヒスタミン薬、例えばアステミゾール、セチリジン、エバスチン、フェキソフェナジン、ロラチジン、テルフェナジン及びこれらの組合せから選択することができる。
【０１３５】
例えば、１種以上の活性成分は、香料、フレーバー、精油、殺虫剤、殺真菌剤、薬学的活性剤又はこれらの薬学的不活性前駆体、例えば防腐剤及び／又は麻酔剤及びこれらの混合物から選択される。
【０１３６】
＜方法ステップｃ）＞
本発明の方法のステップｃ）において、表面反応炭酸カルシウムは、液体形態の１種以上の活性成分によって飽和される。
【０１３７】
表面反応炭酸カルシウム粒子を造粒する前に、粒子は１種以上の活性成分によって飽和される。
【０１３８】
液体飽和は、乾燥した又は完全には飽和していない表面反応炭酸カルシウムに１種以上の活性成分を添加することによって達成され得る。
【０１３９】
本発明により、粒子はこれらの粒子内細孔容積が１種以上の活性成分及び、存在する場合には、１種以上の活性成分が中に溶解している溶媒によって充填されている場合に、飽和していると定義される。例えば、粒子の細孔容積が総粒子細孔容積に対して少なくとも４０容積％、好ましくは少なくとも５０容積％が、１種以上の活性成分及び、存在する場合には、１種以上の活性成分が中に溶解している溶媒によって充填されている場合に、飽和されていると定義される。
【０１４０】
過度の飽和は、粒子の相互付着の開始によって目視され得て、したがってサイズが大きくなるように見える。材料の飽和は、視覚及び触覚により判断できる。最適点を求めるには、乾燥粉末から出発して、１種以上の活性成分をスプレーボトル又は１種以上の活性成分を均一に分散して粉末とする他の手段によって低速で添加してよい。１種以上の活性成分が添加されるのと同時に、又は１種以上の有効成分の各噴霧の間に、粉末を混合することが重要である。粉末を連続して混合することにより、１種以上の活性成分が全体に適正に分布される。このことが飽和未満で行われている間、材料はなお粉末のように挙動を続け、つまり不均一に軽く流動し、振ると引き続き粉塵が出る。１種以上の活性成分の量が不均一に添加されると、小塊がなお時折形成され得るが、飽和前に、これらの小塊は加工されると再度容易に崩壊して、残りの粉末中に戻る。例えば、飽和への到達ではなく、飽和への接近は、粉末が手に冷たく感じられるが、手はなお乾いたままであるときに見られる。この時点で、材料がなお粉末状に見え、凝集していないようであれば、１種以上の活性成分をさらに添加してよい。生成物がわずかに凝集して指の間で押したときに互いにくっつくように見えずに、生成物が粉末としてもはや自由に流動しなくなるときを飽和又は近似飽和と定義することができる。
【０１４１】
方法の早い段階では、小さな凝集塊を加工して粉末の残りの部分に戻し、ゆえに１種以上の活性成分を材料全体に分布させることによって、凝集塊を容易に崩壊させ得るのに対して、飽和に達すると、１種以以上の活性成分が生成物中に遍在し、それ以上分布させることができないため、これらの凝集塊を容易に崩壊させることができない。
【０１４２】
材料が、既に細粒を形成するように見える、又は泥のように感じられる、見える若しくはくっついている、過飽和でないことが重要である。したがって、これらの初期の試行によって、活性成分の必要な濃度を求めることができ、続いて、例えばより大きな規模で、材料をこの固体濃度とする他の手段が使用され得、それには、自動化された混合／活性成分添加、又はケーキ／スラリーを所望の濃度とする乾燥さえも含まれる。
【０１４３】
本発明の意味における「液体」という用語は、使用圧力条件及び温度、即ち方法、好ましくは方法ステップｃ）が行われる温度にて、ただちに流動可能な１種以上の活性成分を含む又は１種以上の活性成分からなる非ガス状流体組成物を示す。
【０１４４】
方法ステップｃ）は、１種以上の活性成分が液体の形態であるならば、広範な温度及び／又は圧力範囲にわたって実施できることが認識される。例えば、方法ステップｃ）は、周囲圧力条件、即ち大気圧下で５〜２００℃、好ましくは１０〜１２０℃及び最も好ましくは１０〜１００℃の温度範囲にて行う。又は、方法ステップｃ）は、減圧条件下、例えば１００〜７００ミリバールの圧力にて、５〜２００℃、好ましくは１０〜１２０℃及び最も好ましくは１０〜１００℃の温度範囲で行う。
【０１４５】
一実施形態において、方法ステップｃ）は、周囲温度及び圧力条件、例えば室温、例えば約５〜３５℃、好ましくは１０〜３０℃及び最も好ましくは１５〜２５℃、並びに大気圧にて行う。この実施形態は、１種以上の活性成分が室温にて液体であるか、又は溶媒に溶解されている場合に適用されることが好ましい。
【０１４６】
１種以上の活性成分が有機溶媒、例えばメタノール、エタノール、ｎ−ブタノール、イソプロパノール、ｎ−プロパノール、アセトン、ジメチルスルホキシド、ジメチルホルムアミド、テトラヒドロフラン、植物油及びこれらの誘導体、動物油及びその誘導体、溶融脂肪及びロウ並びにこれらの混合物に溶解されている場合、有機溶媒を、方法ステップｃ）の後に例えば蒸発によって除去することが好ましい。表面反応炭酸カルシウムを確実に飽和させるために、次いで、方法ステップｄ）を実施する前に、表面反応炭酸カルシウムを水と混合することが好ましい。
【０１４７】
１種以上の活性成分が室温、例えば約５〜３５℃にて固体である場合、方法ステップｃ）は、１種以上の活性成分が溶融している温度、例えば３５〜２００℃、好ましくは４５〜１２０℃及び最も好ましくは５５〜１００℃、並びに周囲圧条件、即ち大気圧にて、即ち大気圧にて又は減圧条件下、１００〜７００ミリバールの圧力にて行う。
【０１４８】
＜方法ステップｄ）＞
本発明の方法のステップｄ）では、１種以上の結合剤が提供される。
【０１４９】
本発明の一実施形態において、１種以上の結合剤は、１種の結合剤を含み、好ましくは１種の結合剤からなる。又は、１種以上の結合剤は、２種以上の結合剤を含み、好ましくは２種以上の結合剤からなる。例えば、１種以上の結合剤は、２又は３種の結合剤を含み、好ましくは２又は３種の結合剤からなる。
【０１５０】
好ましくは、１種以上の結合剤は、１種の結合剤を含み、好ましくは１種の結合剤からなる。
【０１５１】
本発明のステップｄ）において使用され得る結合剤は、一般に造粒技術において周知の結合剤である。好ましい実施形態において、１種以上の結合剤は、合成ポリマー、例えばメチルセルロース、エチルセルロース、カルボキシメチルセルロースナトリウム、ヒドロキシプロピルメチルセルロース（ＨＰＭＣ）、ヒドロキシプロピルセルロース（ＨＰＣ）、エチルヒドロキシエチルセルロース（ＥＨＥＣ）、ポリビニルピロリドン（ＰＶＰ）、ポリエチレングリコール（ＰＥＧ）、ポリビニルアルコール、ポリメタクリレート；及び天然結合剤、例えば植物ゴム、例えばアカシア、トラガカント、サンダラク、ガティ、カラヤ、ローカストビーン及びグアー；タンパク質、例えばゼラチン、カゼイン、コラーゲン；糖類及び多糖類、例えばデンプン及びこれらの誘導体、イヌリン、セルロース、ペクチン、カラギーナン及び砂糖；動物滲出液、例えばシェラック、ミツロウ、アルギン酸並びにこれらの混合物を含む群から選択される。
【０１５２】
この点において、必要に応じて、結合剤はまた、ある条件下では崩壊特性を有し得ることに留意されたい。このような結合剤は、当分野で既知であり、例えば物理的改質デンプンは造粒条件下で結合特性を有するが、必要に応じて例えば吸湿及び膨潤によって細粒を崩壊させることができる。
【０１５３】
典型的には、１種以上の結合剤は飽和表面反応炭酸カルシウムに、ステップａ）の表面反応炭酸カルシウムの総乾燥重量に対して０．１〜５０重量％、好ましくは０．２〜２５重量％、より好ましくは０．３〜２０重量％、さらにより好ましくは０．４〜１５重量％、最も好ましくは０．５〜１０重量％、例えば１重量％の量で添加される。
【０１５４】
＜方法ステップｅ）＞
本発明の方法のステップｅ）において、ステップｃ）で得られた飽和表面反応炭酸カルシウムを撹拌装置中で撹拌しながら、ステップｄ）の１種以上の結合剤と混合する。
【０１５５】
１種以上の結合剤は、乾燥形態で又はエマルション、分散液若しくは溶液の形態で添加してよい。結合剤が乾燥形態又は非常に高濃度の形態で添加される場合、ステップｅ）の間に溶媒が必要である可能性があり得る。
【０１５６】
この溶媒は一般に造粒の分野でよく使用されているものでよく、好ましくは水、メタノール、エタノール、ｎ−ブタノール、イソプロパノール、ｎ−プロパノール、アセトン及びこれらの混合物を含む群から選択される。より好ましくは、溶媒は水、エタノール及び／又はアセトンである。本発明による最も好ましい溶媒は水である。
【０１５７】
溶媒の選択は、造粒法においてこれを確実に均一に分布させるための結合剤の性質によって変わる。
【０１５８】
溶媒は、鉱物及び塩のような化合物、例えば、水のような溶媒中に天然に存在する化合物、を少量含有してよい。溶媒は、例えば界面活性剤、分散剤、浮選剤など生産プラントの水系に一般に見られる微量のポリマーをさらに含有してよい。
【０１５９】
表面反応炭酸カルシウムが１種以上の活性成分の添加前に１種以上の結合剤によって飽和されている方法と比較して、本発明の方法によって必要とされる結合剤が少ないということが、本発明の好ましい態様である。
【０１６０】
添加の順序に関しては、ステップｃ）で得られた飽和表面反応炭酸カルシウムと同時に又は後に、１種以上の結合剤を撹拌装置に添加することが好ましい。
【０１６１】
しかし、ステップｅ）においてステップｃ）で得られた飽和表面反応炭酸カルシウムとステップｄ）の１種以上の結合剤を混合した後に、結合剤、表面反応炭酸カルシウム及び／又は飽和炭酸カルシウムの量を調整することが必要であり得る。
【０１６２】
したがって、ステップｅ）の混合物があまりに液状又はペースト状であると思われる場合、さらなる表面反応炭酸カルシウム若しくは飽和表面反応炭酸カルシウム又はこれらの混合物を添加することが好ましい場合がある。
【０１６３】
追加の表面反応炭酸カルシウム又は飽和表面反応炭酸カルシウム又はこれらの混合物は、ステップａ）で提供した表面反応炭酸カルシウムの総乾燥重量に対して１〜３０重量％、好ましくは５〜２５重量％、より好ましくは８〜２０重量％の量で添加され得る。
【０１６４】
一方、混合物があまりに粉末状である場合、溶媒を添加することが有利であり得る。溶媒がほぼ十分に添加されている場合、所望のサイズを有しないかもしれない小型凝集塊が一次凝集塊相を形成する。溶媒をさらに添加すると、次いで、一次凝集塊が互いに凝集する、二次凝集塊相と言及してもよいものへ、細粒がそのサイズを増して成長し、所望ならばより大型の細粒を得ることができる。
【０１６５】
この溶媒は一般に造粒の分野でよく使用されているものでよく、好ましくは水、メタノール、エタノール、ｎ−ブタノール、イソプロパノール、ｎ−プロパノール、アセトン及びこれらの混合物を含む群から選択される。より好ましくは、溶媒は水、エタノール及び／又はアセトンである。最も好ましい溶媒は水である。
【０１６６】
溶媒は、鉱物及び塩のような化合物、例えば水のような溶媒中に天然に存在する化合物、を少量含有してよい。溶媒は、例えば界面活性剤、分散剤、浮選剤などの、製造プラントの水系によく見られる微量のポリマーをさらに含み得る。
【０１６７】
したがって、本方法は、さらなる表面反応炭酸カルシウム若しくは飽和表面反応炭酸カルシウム若しくはこれらの混合物及び／又は溶媒、好ましくは水を、粒子の凝集が認められるまで、ステップｅ）で得られた混合物に添加するステップｆ）をさらに含み得る。
【０１６８】
結合剤がエマルション、分散液又は溶液の形態で添加される場合、溶媒の添加が必要ないことがある。
【０１６９】
混合物は、所望の細粒サイズ又は細粒サイズ分布がそれぞれ達成されるとただちに適切な稠度を有し、その後、撹拌を継続してよい。
【０１７０】
造粒装置は、造粒目的で従来から使用されているものから選択され得る。したがって撹拌装置は、アイリッヒミキサー、流動床乾燥機／造粒機、プレート造粒機、テーブル造粒機、ドラム造粒機、ディスク造粒機、皿型造粒機、プラウシェアミキサー、垂直ミキサー又は水平ミキサー、高剪断ミキサー又は低剪断ミキサー、高速ブレンダー及び高速ミキサー造粒機を含む群から選択され得る。
【０１７１】
使用された方法又は混合の速度に応じて達成される細粒サイズ又は細粒サイズ分布に関して、相違があり得ることに留意されたい。
【０１７２】
例えば、造粒に流動床ミキサーを使用することにより、レーディゲミキサーよりもより均一な細粒サイズ分布を得られるように思われるが、レーディゲミキサーによってより広いサイズ分布が得られる。したがって、複数のサイズ範囲を得られることがある。
【０１７３】
一実施形態において、表面反応炭酸カルシウムを含む細粒の製造方法は、したがって、以下のステップを含み、好ましくは以下のステップからなる：
ａ）表面反応炭酸カルシウムを提供するステップであって、表面反応炭酸カルシウムが水性媒体中の天然粉砕天然粉砕又は沈降炭酸カルシウムと二酸化炭素及び１種以上のＨ３Ｏ＋イオン供与体との反応生成物であり、二酸化炭素がＨ３Ｏ＋イオン供与体処理によってその場で形成される及び／又は外部供給源から供給される、ステップ、
ｂ）液体形態の１種以上の活性成分を提供するステップ、
ｃ）表面反応炭酸カルシウムを液体形態の１種以上の活性成分で飽和させるステップ、
ｄ）１種以上の結合剤を提供するステップ、
ｅ）ステップｃ）で得られた飽和表面反応炭酸カルシウムをステップｄ）の１種以上の結合剤と撹拌装置内で撹拌しながら混合するステップ、並びに
ｆ）さらなる表面反応炭酸カルシウム若しくは飽和表面反応炭酸カルシウム若しくはこれらの混合物及び／又は溶媒、好ましくは水を、粒子の凝集が認められるまで、ステップｅ）で得られた混合物に添加するステップ。
【０１７４】
方法ステップｂ）、ｄ）、ｅ）及び／又はｆ）において溶媒が使用される場合、造粒工程が完了した後に、即ちステップｃ）及び／又はｅ）及び／又はｆ）の後、好ましくはステップｅ）又はｆ）の後に、得られた細粒から溶媒を分離することによって溶媒を除去することが好ましい。
【０１７５】
一実施形態において、この方法はしたがって、ステップｃ）及び／又はｅ）及び／又はｆ）で得られた混合物から溶媒を除去するステップｇ）をさらに含む。
【０１７６】
１種以上の活性成分が有機溶媒、例えばメタノール、エタノール、ｎ−ブタノール、イソプロパノール、ｎ−プロパノール、アセトン、ジメチルスルホキシド、ジメチルホルムアミド、テトラヒドロフラン、植物油及びこれらの誘導体、動物油及びその誘導体、溶融脂肪及びロウ並びにこれらの混合物に溶解されている場合、有機溶媒を方法ステップｃ）の後に除去することができる。表面反応炭酸カルシウムを確実に飽和させるために、次いで、方法ステップｄ）を実施する前に、表面反応炭酸カルシウムを水と混合することが好ましい。
【０１７７】
溶媒は、得られた細粒から溶媒を分離することによって除去される。溶媒の除去は、好ましくは、回転炉での乾燥、ジェット乾燥、流動床乾燥、凍結乾燥、フラッシュ乾燥及び温度制御された高剪断ミキサー又は低剪断ミキサーを含む群から選択される手段によって乾燥することに行われる。
【０１７８】
一実施形態において、表面反応炭酸カルシウムを含む細粒の製造方法は、したがって、以下のステップを含み、好ましくは以下のステップからなる：
ａ）表面反応炭酸カルシウムを提供するステップであって、表面反応炭酸カルシウムが水性媒体中の天然粉砕炭酸カルシウム又は沈降炭酸カルシウムと二酸化炭素及び１種以上のＨ３Ｏ＋イオン供与体との反応生成物であり、二酸化炭素がＨ３Ｏ＋イオン供与体処理によってその場で形成される及び／又は外部供給源から供給される、ステップ、
ｂ）液体形態の１種以上の活性成分を提供するステップ、
ｃ）表面反応炭酸カルシウムを液体形態の１種以上の活性成分で飽和させるステップ、
ｄ）１種以上の結合剤を提供するステップ、
ｅ）ステップｃ）で得られた飽和表面反応炭酸カルシウムをステップｄ）の１種以上の結合剤と撹拌装置内で撹拌しながら混合するステップ、
ｆ）さらなる表面反応炭酸カルシウム若しくは飽和表面反応炭酸カルシウム若しくはこれらの混合物及び／又は溶媒、好ましくは水を、粒子の凝集が認められるまで、ステップｅ）で得られた混合物に任意に添加するステップ、並びに
ｇ）ステップｃ）及び／又はｅ）及び／又はｆ）で得られた混合物から溶媒を除去するステップ。
【０１７９】
得られた細粒は、異なるサイズ画分がふるい分けなどの従来の手段によって分離され得る、広いサイズ範囲を有してもよい。
【０１８０】
一般に、ステップｅ）及び／又はｆ）及び／又はｇ）の後に得られた表面反応炭酸カルシウムを含む細粒は、０．１〜６ｍｍ、好ましくは０．２〜５ｍｍ及びより好ましくは０．２〜４ｍｍの体積中央粒径を有する。細粒の使用目的に応じて、ふるい分画によって求められる、０．２〜０．６ｍｍ又は０．６ｍｍ〜２ｍｍのサイズ画分が得られ得る。
【０１８１】
追加的に又は代替的に、ステップｅ）及び／又はｆ）及び／又はｇ）の後に得られた表面反応炭酸カルシウムを含む細粒は、ＩＳＯ  ９２７７に従って窒素及びＢＥＴ法を使用して測定した、１０〜１８０ｍ２／ｇ、好ましくは１５〜１５０ｍ２／ｇ、より好ましくは２０〜１１０ｍ２／ｇ、最も好ましくは３０〜７０ｍ２／ｇの比表面積を有し得る。
【０１８２】
本発明による方法によって得られた細粒は、結合剤なしで又は湿式造粒によって、表面反応炭酸カルシウムが事前に飽和されずに得られた細粒よりも安定であることがわかっている。さらに、細粒には活性成分が載荷されているため、様々な用途に使用することができる。
【０１８３】
結果として、本発明の方法によって得られた表面反応炭酸カルシウムを含む細粒も、本発明の一側面である。
【０１８４】
本発明の別の側面は、表面反応炭酸カルシウムを含む細粒の、香料送達システム、フレーバー送達システム、栄養補助食品送達システム、農薬送達システム、保存送達システム、酸化防止剤送達システム、作物防疫送達システム、施肥送達システム、スカベンジングシステム、触媒システム、繊細分子用遮蔽システム、担体システム、化学物質送達システム又は医薬送達システム、好ましくは、錠剤、ミニ錠剤、カプセル又はペレットとしての使用に関する。
【０１８５】
以下の実施例及び試験は本発明を例示するが、本発明を決して限定するものではない。
【図面の簡単な説明】
【０１８６】
【図１】各種のふるい分け画分の（Ｅ）−シンナムアルデヒド載荷細粒のＳＥＭ画像を示す。Ａ）１〜２ｍｍ；Ｂ）６００μｍ〜１ｍｍ；Ｃ）３００μｍ〜６００μｍ；Ｄ）＜３００μｍ。
【図２】各種のふるい分け画分のオイゲノール載荷細粒のＳＥＭ画像を示す。Ａ）１〜２ｍｍ；Ｂ）６００μｍ〜１ｍｍ；Ｃ）３００μｍ〜６００μｍ；Ｄ）＜３００μｍ。
【実施例】
【０１８７】
＜１．測定方法＞
以下の測定方法は、実施例及び請求項に与えるパラメータを評価するために使用した。
【０１８８】
＜材料のＢＥＴ比表面積（ＳＳＡ）＞
ＢＥＴ比表面積は、２５０℃にて３０分の期間にわたって加熱することによる試料の調整後に、窒素を使用したＩＳＯ  ９２７７によるＢＥＴ法により測定した。このような測定の前に、試料を濾過して、すすぎ、乾燥器内で１１０℃にて少なくとも１２時間乾燥させた。
【０１８９】
＜微粒子材料の粒径分布（粒径がＸ未満の粒子の体積％）、ｄ５０値（体積中央粒径）及びｄ９８値＞
体積中央粒径ｄ５０は、マルバーン・マスターサイザ２０００レーザ回折システムを用いて評価した。マルバーン・マスターサイザ２０００レーザ回折システムを用いて測定したｄ５０又はｄ９８値は、それぞれ粒子の５０体積％又は９８体積％がこの値未満の直径を有するような直径値を示す。測定によって得られた生データを、Ｍｉｅ理論を使用して、粒子屈折率１．５７及び吸収指数０．００５を用いて分析する。
【０１９０】
重量中央粒径は、重量測定分野における沈降挙動の分析である沈降法によって求められる。測定は、Ｍｉｃｒｏｍｅｒｉｔｉｃｓ  Ｉｎｓｔｒｕｍｅｎｔ  Ｃｏｒｐｏｒａｔｉｏｎ製のＳｅｄｉｇｒａｐｈ（商標）５１００を用いて行う。この方法及び機器は当業者に公知であり、充填剤及び顔料の粒径を決定するためによく使用されている。測定は０．１重量％Ｎａ４Ｐ２Ｏ７水溶液中で行う。高速撹拌機を使用してサンプルを分散させ、超音波処理した。
【０１９１】
振動ふるいタワーを用いて、細粒の粒径分布を分析した。細粒の１２０ｇの分割量を３００μｍ、６００μｍ、１ｍｍ及び２ｍｍのメッシュサイズを有する鋼鉄線スクリーン（Ｒｅｔｓｃｈ、ドイツ）に置いた。ふるいタワーを振とう変位１ｍｍにて１０秒間隔で３分間振とうした。
【０１９２】
この方法及び機器は当業者に公知であり、充填剤及び顔料の粒径を決定するためによく使用されている。
【０１９３】
＜粒子内圧入比細孔容積（ｃｍ３／ｇ）＞
比細孔容積は、０．００４μｍ（ほぼｎｍ）のラプラススロート直径に等しい４１４ＭＰａ（６００００ｐｓｉ）の最大印加圧力を有するＭｉｃｒｏｍｅｒｉｔｉｃｓ  Ａｕｔｏｐｏｒｅ  Ｖ  ９６２０水銀ポロシメータを使用して、水銀圧入ポロシメトリー測定を用いて測定する。各圧力ステップで使用する平衡時間は、２０秒である。サンプル材料を分析用の５ｃｍ３チャンバ粉末硬度計内に密閉する。ソフトウェアＰｏｒｅ−Ｃｏｍｐを使用して、データを水銀圧縮ペネトロメータ拡張及びサンプル材料圧縮について補正する（Ｇａｎｅ、Ｐ．Ａ．Ｃ．，Ｋｅｔｔｌｅ，Ｊ．Ｐ．，Ｍａｔｔｈｅｗｓ、Ｇ．Ｐ．ａｎｄ  Ｒｉｄｇｗａｙ、Ｃ．Ｊ．，“Ｖｏｉｄ  Ｓｐａｃｅ  Ｓｔｒｕｃｔｕｒｅ  ｏｆ  Ｃｏｍｐｒｅｓｓｉｂｌｅ  Ｐｏｌｙｍｅｒ  Ｓｐｈｅｒｅｓ  ａｎｄ  Ｃｏｎｓｏｌｉｄａｔｅｄ  Ｃａｌｃｉｕｍ  Ｃａｒｂｏｎａｔｅ  Ｐａｐｅｒ−Ｃｏａｔｉｎｇ  Ｆｏｒｍｕｌａｔｉｏｎｓ”，Ｉｎｄｕｓｔｒｉａｌ  ａｎｄ  Ｅｎｇｉｎｅｅｒｉｎｇ  Ｃｈｅｍｉｓｔｒｙ  Ｒｅｓｅａｒｃｈ，３５（５），１９９６，ｐ１７５３−１７６４）。
【０１９４】
累積圧入データに見られる総細孔容積を、２つの領域に分離することができ、２１４μｍから約１から４μｍまでの圧入データは、強く寄与する任意の凝集構造間でのサンプルの粗充填を示している。これらの直径以下では、粒子自体の微細な粒子間充填が存在する。粒子も粒子内細孔を有する場合には、この領域は双峰性に見えるため、本発明者らは、モード転換点よりも微細である、即ち双峰性変曲点よりも微細である細孔内への水銀圧入による比細孔容積を得ることによって、比粒子内細孔容積を定義する。これらの３つの領域の和は、粉末の全細孔容積を与えるが、分布の粗細孔端における粉末の元のサンプルの圧縮／沈降に強く依存する。
【０１９５】
累積圧入曲線の一次導関数を得ることにより、必然的に孔の遮蔽を含む等価なラプラス直径に基づく細孔径分布が明らかとなる。微分曲線は、粗凝集塊細孔構造領域、粒子間細孔領域、及びもし存在するならば、粒子内細孔領域を明らかに示している。粒子内細孔径範囲を知ることにより、全細孔容積から残りの粒子間及び凝集塊間細孔容積を差し引いて、単位細孔容積（比細孔容積）当たりの細孔容積に対する内部細孔のみの所望の細孔容積を与えることが可能である。同じ減算の原理はもちろん、関心のある他の細孔径領域のいずれをも分離するために適用される。
【０１９６】
＜２．材料及び装置＞
＜２．１  装置＞
−  レーディゲ（モデルＬ５、５ｌミキサー）
＜２．２  材料＞
＜表面反応炭酸カルシウム＞
−  ０．９３９ｃｍ３／ｇの粒子内圧入比細孔容積（０．００４〜０．５１μｍの細孔直径範囲で）を有する表面反応炭酸カルシウム（ＳＲＣＣ）１（ｄ５０＝６．６μｍ、ｄ９８＝１３．７μｍ、ＳＳＡ＝５９．９ｍ２ｇ−１）。
【０１９７】
水性懸濁液の総重量に対して１０重量％の固体含有量が得られるように、沈降法によって測定した、１．３μｍの質量基準中央粒径を有する、オルゴンのＯｍｙａ  ＳＡＳ製粉砕石灰石炭酸カルシウムの固体含有量を調整することによって、粉砕炭酸カルシウムの水性懸濁液３５０リットルを混合容器内に準備して、ＳＲＣＣ  １を得た。
【０１９８】
スラリーを６．２ｍ／ｓの速度で混合する間に、３０重量％リン酸を含有する水溶液の形態でリン酸１１．２ｋｇを前記懸濁液に、７０℃の温度にて２０分間にわたって添加した。酸の添加後に、スラリーをさらに５分間撹拌してから、これを容器から取り出し、ジェットドライヤーを使用して乾燥させた。
【０１９９】
＜結合剤＞
−  Ｓｉｇｍａ−Ａｌｄｒｉｃｈ製のセラトリン・シリクア（Ｃｅｒａｔｏｒｉｎ  ｓｉｌｉｑｕａ）種子由来のローカストビームガム（ガラクトマンナン多糖類；Ｇ０７５３；ＣＡＳ番号９０００−４０−２；ＥＣ番号２３２−５４１−５）
活性成分（ＡＩ）
−  （Ｅ）−シンナムアルデヒド、≧９８％、ＦＣＣ、ＦＧ、Ｓｉｇｍａ  Ａｌｄｒｉｃｈ、Ｗ２２８６０５、ＣＡＳ番号１４３７１−１０−９
−  オイゲノール、≧９８％、ＦＣＣ、ＦＧ、Ｓｉｇｍａ  Ａｌｄｒｉｃｈ、Ｗ２４６７００、ＣＡＳ番号９７−５３−０、ＥＣ番号２０２−５８９−１
【０２００】
＜３．造粒実験＞
＜レーディゲミキサー造粒＞
［実施例１］及び［実施例２］（本発明）
表面反応炭酸カルシウムＳＲＣＣ１  ３００ｇを（Ｅ）−シンナムアルデヒド（実施例１）又はオイゲノール（実施例２）のどちらかで飽和させ、レーディゲミキサーに加えた。続いて、ローカストビームガム２．５ｇを加え、乾燥させ、確実に適切な配合を行うために、この組合せを数分間混合した。続いて、スプレーボトルを使用して、配合エレメント（速度は５００ｒｐｍと最高速度８５０ｒｐｍとの間で変化させた。）とカッターとの両方を用いて、材料がやや塊状に見えるようになるまで粉末を混合しながら、水道水を徐々に添加した。個々の細粒が形成されるまで、試料をさらに２、３分間混合した。ＳＲＣＣ、活性成分、結合剤及び水のそれぞれの量並びに配合速度は、表１からわかる。
【０２０１】
【表１】
2018537565.tif 000003
【０２０２】
振動ふるいタワーを用いて、細粒の粒径分布を分析した。得られた細粒の１２０ｇの分割量を３００μｍ、６００μｍ、１ｍｍ及び２ｍｍのメッシュサイズを有する鋼鉄線スクリーン（Ｒｅｔｓｃｈ、ドイツ）に置いた。ふるいタワーを振とう変位１ｍｍにて１０秒間隔で３分間振とうした。各画分のパーセンテージは、表２からわかる。画分のＳＥＭ画像例は、図１及び図２に見られる。
【０２０３】
【表２】
2018537565.tif 000004
【０２０４】
上記の実施例は、標準的な結合剤を用いて活性成分を載荷した表面反応炭酸カルシウムから細粒を製造できることを明らかに示している。
【０２０５】
［実施例３］、［実施例４］、［実施例５］及び［実施例６］（本発明）
＜載荷＞
Ａ．３０重量％バニリン載荷ＳＲＣＣ  １
レーディゲミキサーにＳＲＣＣ  １表面反応炭酸カルシウム５５０ｇを噴霧により充填し、同時１００ｒｐｍにてバニリンの無水エタノール溶液７８６ｇ（濃度＝０．３３８ｇ／ｍｌ、無水エタノール５５０ｇ中バニリン２３６ｇ）と混合して、３０重量％バニリン載荷表面反応炭酸カルシウムＳＲＣＣ  １を得た（実施例３及び４）。残存するエタノールは室温にて混合することによって蒸発させた。
【０２０６】
＜Ｂ．１０重量％添加ＳＲＣＣ  １＞
レーディゲミキサーにＳＲＣＣ  １表面反応炭酸カルシウム５５０ｇを噴霧により充填し、同時に１００ｒｐｍにてバニリンの無水エタノール溶液３３６ｇ（濃度＝０．１７５ｇ／ｍｌ、無水エタノール２７５ｇ中バニリン６１ｇ）と混合して、１０重量％バニリン載荷表面反応炭酸カルシウムＳＲＣＣ  １を得た（実施例５及び６）。残存するエタノールは室温にて混合することによって蒸発させた。
【０２０７】
＜造粒＞
それぞれのバニリン載荷表面反応炭酸カルシウムＳＲＣＣ  １  ３００ｇを以下の各造粒実験で使用した。
【０２０８】
結合剤を添加する前に、混合粉末に水道水を噴霧することによって（水約６０ｇ）、１０重量％バニリン載荷表面反応炭酸カルシウムＳＲＣＣ  １（Ｂ）の細孔を飽和させた。シトラスペクチン２．５ｇ（実施例３及び５）又は６．０ｇ（実施例４及び６）を乾燥状態で、３０重量％バニリン載荷表面反応炭酸カルシウムＳＲＣＣ  １（Ａ）又は１０重量％バニリン載荷表面反応炭酸カルシウムＳＲＣＣ  １（Ｂ）に添加して、確実に適切な配合を行うために、この組合せを数分間混合した。続いて、スプレーボトルを使用して、配合エレメント（速度は５００ｒｐｍと最高速度８５０ｒｐｍとの間で変化させた）とカッターとの両方を用いて、材料がやや塊状に見えるようになるまで粉末を混合しながら、水道水を徐々に添加した。個々の細粒が形成されるまで、試料をさらに２、３分間混合した。細粒を６０℃にて一晩乾燥させた。ＳＲＣＣ、活性成分、結合剤及び水のそれぞれの量並びに配合速度は、表３からわかる。
【０２０９】
【表３】
2018537565.tif 000005
【０２１０】
振動ふるいタワーを用いて、細粒の粒径分布を分析した。得られた細粒を３００μｍ、６００μｍ、１ｍｍ及び２ｍｍのメッシュサイズを有する鋼鉄スクリーン（Ｒｅｔｓｃｈ、ドイツ）に置いた。ふるいタワーを振とう変位１ｍｍにて１０秒間隔で３分間振とうした。各画分のパーセンテージは、表４からわかる。
【０２１１】
【表４】
2018537565.tif 000006
【０２１２】
上記の実施例は、標準的な結合剤を用いて活性成分を載荷した表面反応炭酸カルシウムから細粒を製造できることを明らかに示している。
【図１】
2018537565.tif 000007
【図２】
2018537565.tif 000008
【国際調査報告】
2018537565.tif 000009
2018537565.tif 000010
2018537565.tif 000011
2018537565.tif 000012